(57)【要約】設定器（１）は溶接条件項目の内容を変更させる変更指示情報を溶接電源装置（８）に送信し、溶接電源装置（８）は、溶接条件項目記憶選択部（１１）から、変更指示情報に基づいて溶接条件項目の内容を選択すると共に、その内容に対応する溶接条件データを選択し、さらに選択した溶接条件項目の内容を設定器（１）に送信し、設定器（１）は、選択された溶接条件項目の内容を表示する。これにより、設定器（１）の改造変更を行うことなく設定器（１）から溶接電源装置（８）の溶接条件項目の内容の設定をすることができる。
2009122657.tif 000002
【特許請求の範囲】
【請求項１】
溶接電源装置と、溶接条件項目の内容に対応する溶接条件データを前記溶接電源装置に設定するための設定器とを備え、
前記設定器は、
前記溶接条件項目の内容を変更させる変更指示情報を入力する変更指示入力部と、
前記変更指示入力部で入力した変更指示情報を前記溶接電源装置に送信する設定器データ送信部と、
前記溶接電源装置から送信された前記溶接条件項目の内容を受信する溶接電源装置データ受信部と、
前記溶接電源装置データ受信部で受信した前記溶接条件項目の内容を表示する表示部とを備え、
前記溶接電源装置は、
前記設定器から送信された前記変更指示情報を受信する設定器データ受信部と、
複数の前記溶接条件項目の内容を記憶し、前記設定器データ受信部で受信した前記変更指示情報に基づいて前記溶接条件項目の内容を選択する溶接条件項目記憶選択部と、
前記溶接条件項目の内容に対応する前記溶接条件データを記憶し、前記溶接条件項目記憶選択部で選択した前記溶接条件項目の内容に基づいて前記溶接条件データが選択される溶接条件記憶部と、
前記溶接条件項目記憶選択部で選択した前記溶接条件項目の内容を前記設定器に送信する溶接電源装置データ送信部とを備え、
前記設定器の前記表示部は、前記溶接条件項目記憶選択部が選択した前記溶接条件項目の内容を表示する溶接装置。
【請求項２】
前記変更指示入力部は、複数の前記溶接条件項目毎に前記溶接条件項目の内容を変更させる変更指示情報を入力可能であり、
前記表示部は、前記溶接条件項目毎に前記溶接条件項目の内容を表示可能であり、
前記溶接条件項目記憶選択部は、前記溶接条件項目毎に前記溶接条件項目の内容を記憶し、前記溶接条件項目毎の前記変更指示情報に基づいて前記溶接条件項目毎に前記溶接条件項目の内容を選択可能である請求項１に記載の溶接装置。
【請求項３】
前記溶接条件記憶部は、前記溶接条件項目毎の前記溶接条件項目の内容の組み合わせのうち、装置本体が実施可能な前記溶接条件項目の内容の組み合わせに対応する前記溶接条件データを記憶し、
前記溶接条件項目記憶選択部で選択した前記溶接条件項目毎の前記溶接条件項目の内容の組み合わせが前記溶接条件記憶部に存在するか否かを判断し、前記溶接条件項目記憶選択部で選択した前記溶接条件項目毎の前記溶接条件項目の内容の組み合わせが前記溶接条件記憶部に存在しない場合は、前記溶接電源装置データ送信部に前記溶接条件項目の内容の組み合わせが不適切であることを報知する警報情報を送信する溶接条件項目選択部を備え、
前記設定器の前記表示部は、前記警報情報に基づいて前記溶接条件項目の内容の組み合わせが不適切であることを表示する請求項２記載の溶接装置。
【請求項４】
前記溶接電源装置は、
溶接に関する機能項目を複数記憶する機能記憶部と、
前記機能記憶部から１つの前記機能項目を選択する機能選択部とを備え、
前記設定器の表示部は、前記溶接電源装置から送られてきた、前記機能選択部で選択した前記機能項目を前記表示部に表示する請求項１記載の溶接装置。
【請求項５】
前記設定器は、
電流値および電圧値のうち少なくとも一方の値を増減する変更量を決定する電圧電流変更部を備え、
前記溶接電源装置は、
電流値および電圧値のうち少なくとも一方の基準値を記憶する電圧電流記憶部と、
前記設定器から送られてきた前記変更量と前記電圧電流記憶部に記憶されている基準値とから新たな電流値および電圧値のうち少なくとも一方を演算決定する電圧電流決定部とを備え、
前記設定器の前記表示部は、前記溶接電源装置から送られてきた前記電圧電流決定部が演算決定した電流値および電圧値のうち少なくとも一方を表示する請求項１に記載の溶接装置。
【請求項６】
前記溶接条件項目は、溶接法と溶接材質と溶接ワイヤ径のうちの少なくとも１つである請求項１に記載の溶接装置。
【請求項７】
溶接条件項目の内容を変更させる変更指示情報を入力する変更指示入力部と、
前記変更指示入力部で入力した前記変更指示情報を溶接電源装置に送信する設定器データ送信部と、
前記溶接電源装置から送信された前記溶接条件項目の内容を受信する溶接電源装置データ受信部と、
前記溶接電源装置データ受信部で受信した前記溶接条件項目の内容を表示する表示部とを備えた設定器であって、
前記設定器データ送信部から送信された前記変更指示情報を受信する設定器データ受信部と、
複数の前記溶接条件項目の内容を記憶し、前記設定器データ受信部で受信した前記変更指示情報に基づいて前記溶接条件項目の内容を選択する溶接条件項目記憶選択部と、
前記溶接条件項目記憶選択部で選択した前記溶接条件項目の内容を前記溶接電源装置データ受信部に送信する溶接電源装置データ送信部とを備えた前記溶接電源装置に、
前記設定器データ送信部は、前記変更指示情報を送信し、
前記溶接電源装置データ受信部は、前記溶接電源装置から前記溶接条件項目記憶選択部で選択した前記溶接条件項目の内容を前記溶接電源装置から受信し、
前記表示部は、前記溶接条件項目記憶選択部で選択した前記溶接条件項目の内容を表示する溶接装置の設定器。
【発明の詳細な説明】
【技術分野】
【０００１】
本発明は、溶接に用いられる溶接装置およびその溶接条件の設定に用いられる溶接装置の設定器に関するものである。
【背景技術】
【０００２】
従来の溶接装置は、アーク溶接などを行う溶接装置本体に対して溶接出力を行う溶接電源装置と、この溶接電源装置に対して溶接条件の設定などを遠隔で行う設定器とを備えていた。設定器は、特定の溶接電源装置に対応したものであり、その特定の溶接電源装置が実行可能な所定の溶接条件や溶接出力などについてのみ設定や表示などを行うことができるものである。【０００３】
特許文献１に記載の従来の溶接装置について図１１を用いて説明する。図１１は、従来の溶接装置の概略構成を示す図である。図１１に示す溶接装置は、設定器１０１と溶接電源装置１０２とに関する部分のみ記載しており、溶接出力部分などのアーク溶接などに必要な溶接装置本体の構成については省略している。【０００４】
図１１において、設定器１０１は、溶接電流を調整する溶接電流調整器１０３と、溶接電圧を調整する溶接電圧調整器１０４と、溶接法を切り替える溶接法切り替え器１０５とを備えている。図１１では、２つの溶接法切り替え器１０５は一体として動作する。溶接電源装置１０２は、溶接電流調整器１０３からの信号が加えられる溶接電流制御回路１０７と、溶接電圧調整器１０４からの信号が加えられる溶接電圧制御回路１０８と、溶接法切り替え器１０５からの信号が加えられる溶接法切り替え回路１０９とを備えている。溶接法とは、CO２自動アーク溶接やアークガウジングや手溶接などであって、溶接法切り替え器１０５によりこれらの溶接法を切り替える。設定器１０１はケーブル１０６によって溶接電源装置１０２と接続され、溶接法や溶接電流や溶接電圧の設定や変更などを行う。設定器１０１は、数メートルから場合によっては十数メートルの長さのケーブル１０６を有し、溶接電源装置１０２に接続することで、離れたところから遠隔操作で溶接電源装置１０２の設定を変更することができる。【０００５】
ところで、溶接を行う場合、一般的に、溶接電源装置１０２に対して被溶接物の特長に合わせた溶接条件を設定する必要がある。主な溶接条件としては、溶接法や溶接電流や溶接電圧などがある。従来の溶接電源装置１０２と設定器１０１を用いる場合では、例えば溶接法を変更して新しく設定する場合、溶接法切り替え器１０５を切り替える。溶接法切り替え器１０５が接点１０５ａを選択したときは、溶接法切り替え回路１０９はＣＯ２自動アーク溶接と判断する。同様に、溶接法切り替え器１０５が接点１０５ｂ、１０５ｃをそれぞれ選択したときは、溶接法切り替え回路１０９は、それぞれアークガウジング、手溶接と判断する。このように、従来の溶接装置では、設定器１０１から送られてくるスイッチなどの切り替え信号によって、上記した３つの溶接法を切り替えていた。【０００６】
しかしながら、これら３つの溶接法以外の溶接法を、溶接のプログラムソフトの変更などにより溶接電源装置１０２側で追加した場合、従来の設定器１０１では、例えば溶接法切り換え器１０５がこの追加された溶接法に対応する接点を有していないなど、追加された溶接法を設定できる構成ではないので、追加された溶接法を選択できない。【０００７】
また、溶接条件としては、溶接法以外に、溶接時の溶接ワイヤ径や被溶接物の溶接材質や制御法などが挙げられる。従来の溶接装置では、このような溶接法以外の溶接条件を、溶接のプログラムソフトの変更などにより溶接電源装置１０２側で変更あるいは追加する場合でも、設定器１０１が特定の溶接電源装置１０２に対応するものであるため、上記と同様に、同様に変更、追加された溶接条件を選択できない。【０００８】
このような課題に対応するため、設定器１０１の溶接法切り替え器１０５などの接点数を増やすなどして対応することが考えられる。しかし、この場合には設定器１０１の改造を行わなければならない。また、溶接条件を追加する前に使用していた設定器１０１に替えて、接点数が多い別の設定器１０１をわざわざ用意する必要がある。【０００９】
さらに、溶接電源装置１０２の溶接出力容量が変更された場合についても同様である。この場合、設定器１０１の改造や取り替えを行わずに、元の設定器１０１に設けられた、電流や電圧を調節する図示しない可変抵抗器を用いて溶接出力容量の変更に対応することが考えられる。しかし、この場合には、可変抵抗器の指示位置が同一であっても溶接出力容量の違いにより実際に出力される電流や電圧が異なってしまう。【００１０】
このように、従来の溶接装置では、例えば溶接電源装置１０２に溶接法が追加された場合や溶接出力容量が変更された場合には、改造や変更を施す前の設定器１０１を溶接電源装置１０２に接続して使用できなかった。すなわち、従来の溶接装置は、設定器１０１は溶接電源装置１０２に個別に対応したものであるため、溶接電源装置１０２に実行可能な溶接条件が追加されたり、溶接電源装置１０２の溶接出力容量が変更されたりするたびに、設定器１０１を交換するか、または設定器１０１を改造変更しなければならないという課題があった。
【特許文献１】特開平１０−１０９１６６号公報
【発明の開示】
【００１１】
本発明は、溶接電源装置の溶接条件の追加や変更などが行われた場合でも、設定器を改造変更したり取り替えたりすることなく、溶接条件の追加や変更された溶接電源装置に接続して使用できる溶接装置およびその設定器を提供するものである。
【００１２】
本発明の溶接装置は、溶接電源装置と、溶接電源装置に溶接条件を設定するための設定器とを備える。設定器は、溶接条件項目の内容を変更させる指示を入力する変更指示入力部と、変更指示入力部で入力した変更指示情報を溶接電源装置に送信する設定器データ送信部と、溶接電源装置から送信された溶接条件項目の内容に関する情報を受信する溶接電源装置データ受信部と、溶接電源装置データ受信部で受信した溶接条件項目の内容に関する情報に基づいて溶接条件項目の内容を表示する表示部とを備える。溶接電源装置は、設定器から送信された変更指示情報を受信する設定器データ受信部と、複数の溶接条件項目の内容を記憶し、設定器データ受信部で受信した変更指示情報に基づいて溶接条件項目の内容を選択する溶接条件項目記憶選択部と、溶接条件項目記憶選択部で選択した溶接条件項目の内容に関する情報を設定器に送信する溶接電源装置データ送信部とを備える。設定器の表示部は、溶接条件項目記憶選択部が選択した溶接条件項目の内容を表示する構成を有する。
【００１３】
このような構成によれば、設定器は溶接電源装置の溶接条件の追加や変更が行われた場合でも、設定器を改造変更したり取り替えたりする必要がなく、溶接法などの溶接条件を自在に設定することができる。
【図面の簡単な説明】
【００１４】
【図１】図１は、本発明の実施の形態１における溶接装置を構成する設定器と溶接電源装置の概略構成を示す図である。
【図２Ａ】図２Ａは、同設定器の表示部を示す構成図である。
【図２Ｂ】図２Ｂは、同設定器の表示部の表示の一例を示す図である。
【図２Ｃ】図２Ｃは、同設定器の表示部の表示の他の例を示す図である。
【図３】図３は、同溶接装置の溶接条件選択の流れを示す説明図である。
【図４】図４は、本発明の実施の形態２における溶接装置を構成する設定器のスイッチ入力部を示す図である。
【図５】図５は、同設定器の表示部を示す図である。
【図６】図６は、同溶接装置の溶接条件項目の流れを示す説明図である。
【図７】図７は、同溶接装置における設定器の他の表示部を示す図である。
【図８】図８は、本発明の実施の形態３における溶接装置を構成する設定器と溶接電源装置の概略構成を示す図である。
【図９】図９は、同溶接装置の表示例を示す説明図である。
【図１０】図１０は、本発明の実施の形態４における溶接装置を構成する設定器と溶接電源装置の概略構成を示す図である。
【図１１】図１１は、従来の溶接装置を構成する設定器と溶接電源装置の概略構成を示す図である。
【符号の説明】
【００１５】
１    設定器
２    設定器データ送信部
３    溶接電源装置データ受信部
４    表示用データ変換部
５    表示部
５ａ    溶接材質用表示部
５ｂ    ワイヤ径用表示部
５ｃ    溶接法用表示部
６    スイッチ入力部
６ａ    溶接材質用スイッチ入力部
６ｂ    ワイヤ径用スイッチ入力部
６ｃ    溶接法用スイッチ入力部
７    スイッチデータ変換部
８    溶接電源装置
９    設定器データ受信部
１０    溶接電源装置データ送信部
１１    溶接条件項目記憶選択部
１２    溶接条件選択部
１３    溶接条件記憶部
１４    液晶表示器
１４ａ    溶接材質用液晶表示部
１４ｂ    ワイヤ径用液晶表示部
１４ｃ    溶接法用液晶表示部
１５    機能記憶部
１６    ドットマトリクス表示部
１６ａ    波形表示領域
１６ｂ    要素表示領域
１７    電流電圧表示部
１８    電流電圧変更部
１９    電流電圧変換量変換部
２０    電流電圧記憶部
２１    電流電圧決定部
２２    機能選択部
５１    １６セグメント
【発明を実施するための最良の形態】
【００１６】
（実施の形態１）
本発明の実施の形態１の溶接装置について図１〜図３を用いて説明する。図１は本発明の実施の形態１における溶接装置を構成する設定器および溶接電源装置を示す概略構成図である。図１において、本実施の形態の溶接装置は主に、設定器１と溶接電源装置８との構成部分について説明する。溶接出力部分などのアーク溶接に関する溶接装置本体の構成は既知の技術であり、説明を省略する。なお、設定器１と溶接電源装置８とは別体であり、有線や無線などにより互いに情報のやりとりが可能となっている。【００１７】
図１において、設定器１は、溶接電源装置８へ設定器１の情報を送信するための送信部である設定器データ送信部２と、溶接電源装置８から溶接電源装置８の情報を受信するための受信部である溶接電源装置データ受信部３とを有している。さらに、１つの溶接条件項目の内容を表示する表示部５と、溶接電源装置データ受信部３で受信した情報の１つである表示用データを、表示部５に文字記号表示するために変換する表示用データ変換部４とを有している。さらに、溶接条件項目の内容を変更させる指示を入力する変更指示入力部であるスイッチ入力部６と、スイッチ入力部６に入力されたスイッチのオン−オフ信号（変更指示情報）を、設定器データ送信部２から送信できるように、スイッチデータに変換するスイッチデータ変換部７とを有している。なお、スイッチ入力部６としては、例えば押しボタンスイッチなどが挙げられる。そして、スイッチのオン−オフ信号とは、押しボタンスイッチが１度押されてから離された状態までに発生する信号をいう。【００１８】
溶接電源装置８は、設定器１から設定器１の情報を受信するための受信部である設定器データ受信部９と、設定器１へ溶接電源装置８の情報を送信するための送信部である溶接電源装置データ送信部１０とを有している。さらに、溶接条件項目の内容を複数記憶し、設定器１から送られてきたスイッチ入力部６からの変更指示情報に基づいて溶接条件項目の内容の１つを選択する溶接条件項目記憶選択部１１を有している。選択された溶接条件項目の内容は、溶接電源装置データ送信部１０から設定器１に表示用データとして送信されて、設定器１の表示部５で溶接条件項目の内容の表示を行う際にも使用される。さらに、溶接電源装置８は、溶接条件項目の内容に対応した溶接条件データを記憶する溶接条件記憶部１３を有している。溶接条件記憶部１３に記憶されている溶接条件データは、この溶接電源装置８で実際に動作可能な溶接条件項目の各内容に対応する溶接条件データである。さらに、溶接電源装置８は、溶接条件項目記憶選択部１１で選択された溶接条件項目の内容に基づいて、溶接条件記憶部１３から溶接条件データを選択する溶接条件選択部１２を有している。【００１９】
ここで、本実施の形態では、溶接条件項目としては、溶接法や溶接ワイヤ径や被溶接物の溶接材質や制御法や溶接電流や溶接電圧などが挙げられる。本実施の形態では、溶接条件項目として溶接法を例に説明する。したがって、本実施の形態では、溶接条件項目が１種類であるため、溶接条件項目記憶選択部１１に記憶された溶接条件項目の内容は、溶接法に関するもののみとなる。溶接条件項目の内容としては、本実施の形態のように溶接条件項目が溶接法の場合、ＣＯ２自動アーク溶接、半自動アーク溶接、アークガウジング、手溶接などである。本実施の形態では、半自動アーク溶接のうち、Ｍｅｔａｌ  Ａｃｔｉｖｅ  Ｇａｓ（ＭＡＧ）溶接とＭｅｔａｌ  Ｉｎｅｒｔ  Ｇａｓ（ＭＩＧ）溶接を例に説明している。したがって、溶接条件記憶部１３に記憶された溶接条件データは、本実施の形態では、ＭＡＧ溶接およびＭＩＧ溶接に際しての具体的な数値データである。すなわち、本実施の形態における溶接電源装置８で実際にＭＡＧ溶接およびＭＩＧ溶接が実施可能な、電流波形の立ち上がり時間などの溶接波形パラメータなどに関する、具体的な数値データである。【００２０】
また、溶接条件項目が溶接ワイヤ径の場合、溶接条件項目の内容として、ワイヤ径の具体数値、例えば、１．０ｍｍや１．２ｍｍなどの数値が溶接条件項目記憶選択部１１に記憶される。このとき、溶接条件記憶部１３に記憶される溶接条件データは、これらの径の溶接ワイヤで溶接するための溶接波形パラメータなどである。【００２１】
さらに、溶接条件項目が溶接材質の場合、溶接条件項目の内容として、アルミニウムや軟鋼などの材料名が溶接条件項目記憶選択部１１に記憶される。このとき、溶接条件記憶部１３に記憶される溶接条件データは、これらの溶接材質を溶接ワイヤで溶接するための溶接波形パラメータなどである。【００２２】
設定器１と溶接電源装置８との間の情報のやりとりは、設定器１では、設定器データ送信部２と溶接電源装置データ受信部３とで行われる。また、溶接電源装置８では、設定器データ受信部９と溶接電源装置データ送信部１０とで行われる。【００２３】
以上のように溶接電源装置８と設定器１とから構成された本実施の形態の溶接装置について、その動作を説明する。先ず、溶接電源装置８と設定器１とが接続され、または通信可能な状態に設定され、溶接電源装置８の図示しない起動スイッチがオンにされる。そして、溶接電源装置８はその溶接電源装置８がもつ最も代表的な溶接条件項目の内容を溶接電源装置データ送信部１０を介して設定器１に送信する。例えば、本実施の形態では、溶接条件項目記憶選択部１１に、溶接法の内容として、すなわち、溶接条件項目の内容として、ＭＡＧ溶接とＭＩＧ溶接を示す情報がこの順に記憶されている。さらに、溶接電源装置８と設定器１とが接続されて溶接電源装置８の起動スイッチがオンにされると、最初に記憶されている溶接法の内容を表示内容として設定器１に送信する。したがって、本実施の形態で、溶接電源装置８と設定器１とが接続されて溶接電源装置８の起動スイッチがオンにされると、溶接条件項目の内容であるＭＡＧ溶接を示す情報が、表示用データとして溶接電源装置データ送信部１０を介して設定器１に送信される。【００２４】
設定器１は、ＭＡＧ溶接を示す表示用データを溶接電源装置データ受信部３を介して受信する。表示用データ変換部４は、溶接電源装置データ受信部３で受信した、ＭＡＧ溶接を示す表示用データを変換し、溶接条件項目の内容として「ＭＡＧ」を表示部５により表示する。【００２５】
本実施の形態では、表示部５の一例として、図２Ａに示すように１文字当たり１６セグメント５１のＬＥＤ表示装置を用いている。図２Ｂと図２ＣはこのＬＥＤ表示装置による表示例である。本実施の形態では、溶接電源装置８の起動スイッチがオンにされると、図２Ｂに示すように、溶接法として「ＭＡＧ」が表示される。溶接条件項目記憶選択部１１に、溶接法として、ＭＩＧ溶接が最初に記憶されている場合は、溶接電源装置８の起動スイッチがオンにされたとき、設定器１の表示部５には、図２Ｃに示すように、溶接法として「ＭＩＧ」が表示される。【００２６】
本実施の形態では、溶接電源装置８の起動スイッチがオンにされたとき、溶接条件項目記憶選択部１１に最初に記憶されている溶接条件項目の内容を表示するようにしたが、本発明は、これに限ることはない。例えば、前回使用した溶接条件項目の内容を表示するようにしてもよいし、あるいは任意の予め定めた固定の溶接条件項目の内容を表示するようにしてもよい。また、過去、一番使用頻度の多かった溶接条件項目の内容を表示するようにするなどしてもよい。【００２７】
次に、図１において、設定器１のスイッチ入力部６によりスイッチのオン−オフ信号が入力されると、その信号はスイッチデータ変換部７によって溶接電源装置８に送信可能なスイッチデータに変換される。スイッチデータ変換部７によって変換されたスイッチデータは、設定器データ送信部２により溶接電源装置８に送られる。これによって、入力されたオン−オフ信号が溶接電源装置８に送られる。溶接電源装置８は、スイッチ入力部６のオン−オフ信号を設定器データ受信部９により受信する。溶接電源装置８では、図３に示すように、溶接条件項目記憶選択部１１は、設定器データ受信部９で受信したスイッチデータであるオン−オフ信号に基づいてインデックスを１つ進める。すなわち、溶接条件項目記憶選択部１１には、各溶接条件項目の内容がそれぞれ対応するインデックスとともに記憶されており、１つのオン−オフ信号に基づいてインデックスが１つ進められる。図３に示すように、溶接条件項目記憶選択部１１にＷ１からＷ６までの６個の溶接法の内容（溶接条件項目の内容）が記憶されている場合は、オン−オフ信号の数に基づいて溶接法の内容のＷ１からＷ６が順次指示される。Ｗ６が指示された後は、再びＷ１に戻って、同様の動作が繰り返される。【００２８】
また、図１において、溶接条件項目記憶選択部１１で１つの溶接条件項目の内容が指示されて選択されると、選択された溶接条件項目の内容に基づいて、溶接条件選択部１２は、選択された溶接条件項目の内容に対応する実際の溶接条件データを溶接条件記憶部１３から検索する。溶接条件記憶部１３は、溶接条件項目記憶選択部１１に記憶されている溶接条件項目の内容に対応させて、溶接電源装置８が実際に動作可能な具体的な溶接条件データを記憶している。したがって、溶接条件項目記憶選択部１１で１つの溶接条件項目の内容が選択されると、選択された溶接条件項目の内容に対応する溶接条件データが溶接条件記憶部１３から検索される。溶接条件記憶部１３から検索された溶接条件データは、溶接電源装置８の内部および溶接装置本体で溶接実行のためのデータとして用いられる。また、溶接条件項目記憶選択部１１で指示されて選択された溶接条件項目の内容は、表示用データとして溶接電源装置データ送信部１０により設定器１に送信される。設定器１は、溶接電源装置データ送信部１０より送信された溶接条件項目の内容の表示用データを溶接電源装置データ受信部３により受信し、表示用データ変換部４により表示用データを変換し、溶接条件項目の内容を表示部５により表示する。【００２９】
図３では、溶接条件項目記憶選択部１１に１個のオン−オフ信号によるスイッチデータが送られ、溶接条件項目の内容であるＷ２が指示されて選択されたことを示している。選択された溶接条件項目の内容（Ｗ２）が溶接条件選択部１２に入力され、溶接条件選択部１２に入力された溶接条件項目の内容により溶接条件記憶部１３から、選択された溶接条件項目の内容に対応する溶接条件データである＜Ｗ２＞が検索される。Ｗ２に対応する、検索された溶接条件データである＜Ｗ２＞は、溶接電源装置８内部および溶接装置本体で、溶接条件データとして溶接動作に使用される。また、図３では、溶接条件項目記憶選択部１１により選択された溶接条件項目の内容（Ｗ２）は、表示用データとして溶接電源装置データ送信部１０により設定器１に送信されることを示している。【００３０】
ところで、本実施の形態では、溶接電源装置８は、溶接法として、すなわち溶接条件項目の内容として、ＭＡＧ溶接とＭＩＧ溶接の選択が可能である。したがって、溶接条件項目記憶選択部１１には、ＭＡＧ溶接とＭＩＧ溶接の２つがインデックスに対応付けてこの順に記憶されている。インデックスはスイッチのオン−オフ動作１回につき１つ進むように設定されている。したがって、設定器１のスイッチ入力部６のスイッチのオン−オフ動作の１回毎に、先ずＭＡＧ溶接が指定され、次は、ＭＩＧ溶接が指定され、次は、再びＭＡＧ溶接が指定され、これを繰り返す。１回のオン−オフ動作による入力指示の結果として、インデックスがＭＡＧ溶接からＭＩＧ溶接に１つ進められて、ＭＩＧ溶接が選択された場合、溶接条件項目の内容としてＭＩＧ溶接が溶接条件選択部１２に入力される。溶接条件選択部１２は、選択された溶接条件項目の内容により溶接条件記憶部１３からＭＩＧ溶接の溶接条件データを検索し、検索した溶接条件データに基づいて、溶接電源装置８はＭＩＧ溶接を行う。一方、溶接条件項目の内容であるＭＩＧ溶接は、溶接電源装置データ送信部１０により表示用データとして設定器１に送信される。【００３１】
以上のような本実施の形態の溶接装置においては、溶接条件項目の内容の追加を行う際には、溶接電源装置８の溶接条件項目記憶選択部１１に記憶する溶接条件項目の内容の追加を行う。これとともに、追加された溶接条件の内容に対応する溶接条件データを溶接条件記憶部１３に記憶するだけで、設定器１による溶接電源装置８の溶接条件の設定が可能となる。また、溶接条件項目の内容を変更する際には、溶接電源装置８の溶接条件項目記憶選択部１１に記憶されている変更すべき溶接条件項目の内容を変更する。これとともに、溶接条件記憶部１３に記憶されている変更すべき溶接条件項目の内容に対応する溶接条件データを変更する。これだけで、設定器１による溶接電源装置８の溶接条件の変更設定が可能となる。すなわち、設定器１は、溶接条件項目の内容の変更に際しては、変更指示だけを行う機能を有しているだけである。したがって、設定器１には何ら手を加えることなく、スイッチ入力部６から変更指示を入力し、その内容を表示部５に表示するだけで、追加および変更された溶接条件を選択できる。このように、溶接電源装置８の溶接条件項目の内容の追加および変更を行う場合でも、設定器１の改造変更や新規交換を行う必要はなく、既にある設定器１を用いて溶接法などの溶接条件項目の内容を設定することができる。【００３２】
また、新たに溶接電源装置を導入した場合でも、導入前の溶接電源装置で使用していた設定器を破棄して新たな設定器を用意する必要がないので資源の節約にもなる。【００３３】
なお、設定器１と溶接電源装置８との間の通信としては、本実施の形態以外にも、各種シリアル通信、パラレル通信および有線、赤外線、無線などあらゆる通信方法を用いることができる。この場合、双方の送信部、受信部はその通信方法に対応することはいうまでもない。【００３４】
（実施の形態２）
実施の形態１では、溶接条件項目が溶接法という１種類の場合について説明したが、本実施の形態では複数の溶接条件項目を選択する場合について説明する。本実施の形態と実施の形態１との構成上の違いは、本実施の形態では、設定器１の表示部５およびスイッチ入力部６が溶接条件項目の数だけ設けられている点である。【００３５】
本実施の形態では、溶接条件項目として、被溶接物の溶接材質、溶接ワイヤ径、溶接法の３つが設定できるようになっている。すなわち、スイッチ入力部６には、図４に示すように、溶接材質用スイッチ入力部６ａ、ワイヤ径用スイッチ入力部６ｂ、溶接法用スイッチ入力部６ｃの３つが設けられている。同様に、表示部５は、図５に示すように、溶接材質用表示部５ａ、ワイヤ径用表示部５ｂ、溶接法用表示部５ｃの３つが設けられている。したがって、それぞれのスイッチ入力部６ａ、６ｂ、６ｃを操作することにより、各溶接条件項目の内容がそれぞれに対応する溶接条件項目の表示部５ａ、５ｂ、５ｃにそれぞれ表示される。【００３６】
すなわち、本実施の形態では、実施の形態１と同様に、各溶接条件項目において、変更指示入力部であるスイッチ入力部６でのそれぞれの入力の結果、溶接電源部８の溶接条件項目記憶選択部１１の内容が指示される。指示されて選択された溶接条件項目の内容が表示用データとして設定器１に送信される。設定器１の表示部５では、各溶接条件項目毎に、スイッチ入力部６での入力に対応して、溶接条件項目の内容を表示する。本実施の形態では、複数の変更指示入力部からなる入力スイッチ部６の入力結果が、溶接条件記憶部１３に記憶された、溶接電源装置８が実際に溶接可能な組み合わせであれば、選択された複数の溶接条件の設定が行える。したがって、実施の形態１と同様にして、溶接電源装置８で溶接条件項目の内容の追加変更が行われても、設定器１の改造変更を加えることなく、その追加変更された溶接条件を選択することができる。【００３７】
ただし、本実施の形態では、スイッチ入力部６により指示されて選択された溶接条件項目の内容の組み合わせが、溶接電源装置８として実現できず、溶接電源装置８の溶接可能な溶接条件として溶接条件記憶部１３に存在しない場合、設定器１に警告が表示される。このことを図６を用いて説明する。【００３８】
図６は本実施の形態の動作の流れを示す説明図である。ただし、図６では、溶接条件項目として溶接材質と溶接法の２つが設定できるようになっている。また、それぞれの溶接条件項目の内容は、溶接材質についてはＭ１、Ｍ２の２つが、溶接法については、Ｄ１、Ｄ２、Ｄ３の３つが設定できるようになっている。しかし、溶接電源装置８の実際に溶接可能な溶接条件データの組み合わせとして、次の３つだけが溶接条件記憶部１３に記憶されている。１つ目は、溶接材質Ｍ１と溶接法Ｄ１の組み合わせによる溶接条件データとしての＜Ｍ１Ｄ１＞である。２つ目は、溶接材質Ｍ１と溶接法Ｄ２の組み合わせによる溶接条件データとしての＜Ｍ１Ｄ２＞である。３つ目は、溶接材質Ｍ２と溶接法Ｄ３の組み合わせによる溶接条件データとしての＜Ｍ２Ｄ３＞条件データである。【００３９】
このような溶接装置において、溶接条件項目記憶選択部１１で、溶接材質用スイッチ入力部６ａで指示された溶接条件項目の内容Ｍ１が選択され、溶接法用スイッチ入力部６ｃで指示された溶接条件項目の内容Ｄ３が選択されたとする。この場合、溶接条件選択部１２には溶接条件項目の内容Ｍ１と溶接条件項目の内容Ｄ３との組み合わせの溶接条件項目の内容Ｍ１Ｄ３が設定され、この溶接条件項目の内容Ｍ１Ｄ３により溶接条件記憶部１３から該当する溶接条件データを検索しようとする。しかし、溶接条件記憶部１３には、溶接条件項目の内容Ｍ１とＤ３の組み合わせに該当する溶接条件データが存在しない。したがって、溶接条件データは変更されず、警報信号であるＥ信号が溶接電源装置データ送信部１０に送られる。溶接電源装置データ送信部１０では、溶接条件項目記憶選択部１１で選択された溶接条件項目の内容Ｍ１とＤ３の組み合わせＭ１Ｄ３を示す信号とともにＥ信号を設定器１の溶接電源装置データ受信部３に送信する。すなわち、溶接条件選択部１２は溶接電源装置データ送信部１０を介して、選択された溶接条件項目の内容の組み合わせＭ１Ｄ３が存在しないことを報知する信号（警報情報）を、表示内容を示すデータに付随させて設定器１に送信する。【００４０】
例えば、溶接電源装置８が溶接可能な溶接材質の内容として、すなわち溶接条件項目の内容として、アルミニウムＭ１と鉄Ｍ２が溶接条件項目記憶選択部１１に記憶され、また、溶接電源装置８が溶接可能な溶接法の内容として、すなわち溶接条件項目の内容として、ＣＯ２溶接Ｄ１とＭＩＧ溶接Ｄ２とＭＡＧ溶接Ｄ３とが溶接条件項目記憶選択部１１に記憶されているとする。先ず、溶接材質を選定するための溶接材質用スイッチ入力部６ａを操作することによりアルミニウムＭ１が選択され、溶接法用スイッチ入力部６ｃを操作することによりＭＡＧ溶接Ｄ３が選択されたとする。このとき、溶接条件記憶部１３に溶接条件データとしてアルミニウム（Ｍ１）をＭＡＧ溶接（Ｄ３）する組み合わせを備えていないとする。この場合、溶接電源装置８の溶接条件記憶選択部１２は、設定器１に、溶接材質としてアルミニウム（Ｍ１）、溶接法としてＭＡＧ溶接（Ｄ３）を表示用データとして送信する。このとき、これらの組み合わせが存在しないことを報知する信号であるＥ信号（警報情報）もこの表示用データと併せて送信する。溶接条件記憶部１３に、溶接条件としてアルミニウム（Ｍ１）をＭＡＧ溶接（Ｄ３）する組み合わせＭ１Ｄ３を備えていないので、溶接電源装置８としての溶接条件データは変更されない。設定器１はＥ信号を受信した場合、表示部５で表示する「ＭＡＧ」を点滅表示することにより、作業者に対して溶接条件項目の内容の組み合わせが正しくないことを報知させることができる。【００４１】
溶接条件項目の内容の組み合わせが正しくないことを報知する方法として、本実施の形態のように表示部５を点滅表示させる以外の方法も適用できる。例えば、表示部５での表示の色を赤色などの警告色にしたり、反転表示をしたりすることも可能である。また、警報を示すＥの文字などを付加して表示することも可能である。すなわち、通常の表示とは異なる表示方法を採用すればよい。【００４２】
本実施の形態では、表示部５としては、図５に示すように、溶接条件項目毎に１６セグメントのＬＥＤ表示装置を備える構成とした。しかし、図７に示すように、液晶パネルのような複数の表示内容を一括表示できる液晶表示器１４を用いることも可能である。図７は、１つの液晶表示器１４に、溶接材質用液晶表示部１４ａとワイヤ径用液晶表示部１４ｂと溶接法用液晶表示部１４ｃとを一括表示した例を示している。これにより、１つの液晶表示部１４で警告信号も含め、多種類の表示を行うことができる。【００４３】
以上のように、本実施の形態においても、溶接電源装置８の複数の溶接条件項目の内容の追加および変更を行う場合でも、設定器１の改造変更や取り替えを行う必要はなく、この設定器１を用いて複数の溶接条件項目の内容を設定することができる。さらに、本実施の形態においては、溶接電源装置８が実施できない複数の溶接条件項目の内容の組み合わせの場合には、設定器１に警告信号を発することができる。【００４４】
（実施の形態３）
最近の溶接装置は、実施の形態１、２で説明したような、単に、溶接法や溶接材質を選んだりするだけではなく、多機能な装置が提案されてきている。本実施の形態は、実施の形態１に加えて、このような多機能な溶接装置に本発明を適用したものである。本実施の形態について、図８、図９を用いて説明する。なお、本実施の形態において実施の形態１、２と同様の構成については同一の符号を付して説明する。【００４５】
図８は、本実施の形態における溶接装置を構成する設定器１と溶接電源装置８の概略構成を示す図である。実施の形態１と同様に、溶接出力部分などアーク溶接に関する部分は説明を省略する。図８において、実施の形態１と異なる点は、設定器１には、表示部５に代えて、文字表示やグラフィック表示などの様々な表示が可能であるドットマトリクス表示部１６を備えている点である。また、設定器１は第１スイッチ入力部６１と第２スイッチ入力部６２を有している点である。また、溶接電源部装置８は、溶接電流および溶接電圧の波形情報を表示する波形表示機能や、いわゆるヘルプ機能を有している点である。【００４６】
第１スイッチ入力部６１は、機能選択スイッチであって、例えば、十字キーのようなもので構成されている。十字キーの上部を押せば、実施の形態１、２で説明したような、溶接条件項目を設定する溶接条件項目設定機能を選択できる。十字キーの右部を押せば、ヘルプ機能を選択できる。十字キーの下部を押せば、電流波形表示機能を選択できる。十字キーの左部を押せば、電圧波形表示機能を選択できる。【００４７】
第２スイッチ入力部６２は、例えば、スイッチ入力部６１と同様に、十字キーで構成されており、第１スイッチ部６１で選択された機能に関して各種条件を設定するものである。具体的には、第１スイッチ入力部６１の上部キーを押すことによって、溶接条件項目設定機能を選択した場合、第２スイッチ入力部６２によって、複数の溶接条件項目の内容を指示できる。例えば、第２スイッチ入力部６２の十字キーの上部を押す毎に溶接法（MAG溶接やＭＩＧ溶接など）を順次指示する。同十字キーの右部を押す毎に、溶接材質（アルミニウムや鉄など）を順次指示する。同十字キーの下部を押す毎に、溶接ワイヤの径（１ｍｍや１．２ｍｍなど）を順次指示する。すなわち、第２スイッチ入力部６２の十字キーの上部は、実施の形態２の溶接法用スイッチ入力部６ｃに相当し、第２スイッチ入力部６２の十字キーの右部は、実施の形態２の溶接材質用スイッチ入力部６ｃに相当し、第２スイッチ入力部６２の十字キーの下部は、実施の形態２のワイヤ径用スイッチ入力部６ｂに相当する。第２スイッチ入力部６２の十字キーによって指示された溶接条件項目の内容は、実施の形態２と同様にして、ドットマトリクス表示部１６に表示される。ドットマトリクス表示部１６では、実施の形態２と同様に、１つの表示部によって、溶接法、溶接材質、溶接ワイヤの３種類の溶接条件項目の内容を表示する。【００４８】
これによって、実施の形態１、２で説明したのと同様の動作で、第２スイッチ入力部６２で、溶接条件項目の内容を指示することができる。なお、十字キーの左部は将来の用途のためにフリーにしておくか、他の溶接条件項目の内容に使用する。【００４９】
また、第１スイッチ入力部６１の右部を押すことによってヘルプ機能を選択した場合、第２スイッチ入力部６２によって、ヘルプ機能の内容を指示できる。例えば、第２スイッチ入力部６２の十字キーの上部や下部を押すことによって、ＭＡＧ溶接やＭＩＧ溶接など溶接法を選択できる。上部や下部を押すことによって溶接法の一つを選んだ場合、右部や左部を押すことによって、溶接のノウハウを選択できる。例えば、上部や下部を押すことによってパルス溶接を選択し、右部や左部を押すことによって、「欠陥を出さない」を選んだ場合、「パルス溶接で欠陥を出さないように溶接する方法」がドットマトリクス表示部１６に表示される。すなわち、第２スイッチ入力部６２の十字キーの上部や下部を押すことによって大項目を選択し、右部や左部を押すことによって、選択した大項目のうちの小項目を選択して所望のヘルプ画面を見ることができる。このように、第２スイッチ入力部６２の押す位置の組み合わせ（上下部と左右部の組み合わせ）に応じて、記憶された溶接のノウハウを階層別に選択できる。【００５０】
また、第１スイッチ入力部６１の下部を押すことによって電流波形表示機能を選択した場合、ドットマトリクス表示部１６に、現在選択されている溶接法に関する標準の電流波形が示される。このとき、例えば、第２スイッチ入力部６２の十字キーの上部、右部、下部、左部を押すことによって、溶接電流の周波数、ピーク電流、ベース電流などをドットマトリクス表示部１６に表示し、変更のために選択できる。第１スイッチ入力部６１で、電圧波形表示機能を選択した場合も電流波形表示機能を選択した場合と同様の操作が行える。【００５１】
本実施の形態の溶接電源装置８は、実施の形態１、２の構成と同様に溶接条件項目設定機能に加えて、上記したヘルプ機能や電流波形表示機能、電圧表示機能を行う。そのために、これらの溶接に関する複数の機能項目を記憶するための機能記憶部１５と、機能記憶部１５からいずれかの機能やその内容を選択するために機能選択部２２とを備えている。【００５２】
以上のように構成された設定器１と溶接電源装置８についてその動作を説明する。まず、実施の形態１、２と同様に溶接条件項目の内容を設定したり変更したりする場合は、第１スイッチ入力部６１の十字キーの上部を押す。この信号が、設定器１のスイッチデータ変換部７を経て設定器データ送信部２から、溶接電源装置８の設定器データ受信部９へ送信される。設定器データ受信部９で受信した信号は、機能選択部２２に送られ、機能記憶部１５に記憶されている機能のうち、溶接条件項目設定機能が選ばれる。機能記憶部１５で選ばれた溶接条件項目設定機能というデータが溶接電源装置データ送信部１０から設定器１に送信される。溶接電源装置データ送信部１０から送信されたデータは設定器１の溶接電源装置データ受信部３で受信し、表示用データ変換部４を経てドットマトリクス表示部１６に「溶接条件項目設定」という表示を行う。ユーザはこの表示を確認して、第２スイッチ入力部６２の十字キーの上部を押し、溶接条件項目の内容のうち溶接法を選択する。第２スイッチ入力部６２の十字キーの上部を押す毎に溶接条件項目の内容である溶接法の内容を順次指示する。また、第２スイッチ入力部６２の十字キーの右部を押し溶接材質を選択し、右部を押す毎に溶接条件項目の内容である溶接材質の内容を順次選択する。また、第２スイッチ入力部６２の十字キーの下部を押しワイヤ径を選択し、下部を押す毎に溶接条件項目の内容であるワイヤ径の内容を順次選択する。すなわち、ユーザは第２スイッチ入力部６２の十字キーの上部、右部または左部を繰り返し押すことによって、上部、右部または左部に対応する溶接条件項目の内容を変更指示する。この変更指示に伴ってドットマトリクス表示部１６には指示された溶接条件項目の内容が表示される。【００５３】
例えば、第２スイッチ入力部６２の十字キーの上部を押すことによって、溶接法を選択した場合、表示部１６には溶接条件項目記憶選択部１１の溶接法の領域に１番最初に記憶されている溶接条件項目である溶接法の内容、例えば「ＭＡＧ溶接」が表示される。次に、ユーザがＭＡＧ溶接を変更したい場合、第２スイッチ入力部６２の十字キーの同じく上部を押すことによって、溶接条件項目の内容を変更させる指示をする。第２スイッチ入力部６２の十字キーの上部を１回押すごとに、溶接条件項目記憶選択部１１のインデックスを順次増加させる。これによって、実施の形態１、２と同様に、溶接条件項目記憶選択部１１に記憶されている溶接条件項目の内容を順次選択指示していく。選択指示された溶接条件項目の内容のデータは、溶接電源装置データ送信部１０から設定器１に送信される。送信されたデータは、溶接電源装置データ受信部３で受信して、表示用データ変換部４を経由してドットマトリクス表示部１６で表示される。例えば、溶接条件項目記憶選択部１１の２番目にＭＩＧ溶接が記憶されていれば、第２スイッチ入力部６２の十字キーの上部を１回押すことによって、「ＭＩＧ溶接」がドットマトリクス表示部１６で表示され、これが選択されたことを確認できる。このようにして実施の形態１、２と同様の動作が行える。【００５４】
次に、第２スイッチ入力部６２の十字キーの下部を押すことによって、ワイヤ径を選択した場合、表示部１６には溶接条件項目記憶選択部１１のワイヤ径の領域の１番最初に記憶されている溶接条件項目であるワイヤ径の内容、例えば「１．０ｍｍ」が表示される。次に、ユーザがワイヤ径を変更したい場合、第２スイッチ入力部６２の十字キーの下部を例えば２回押す。これによって、溶接条件項目記憶選択部１１のワイヤ径の領域に記憶されている溶接条件項目の内容のインデックスを２つ増加する指示をする。これによって、ワイヤ径の内容のインデックスを２つ増加し、例えば、１．４ｍｍを選択する。選択された１．４ｍｍのデータが溶接電源装置データ送信部１０から設定器１に送信される。このデータを設定器１の溶接電源装置データ受信部３で受信し、表示用データ変換部４を経て表示部１６に「１．４ｍｍ」と表示し、ユーザはワイヤ径が変更されたことを確認する。このとき、ドットマトリクス表示部１６には、先に指示された溶接法である「ＭＩＧ溶接」の表示も併せて行う。これにより、実施の形態２と同様に、指示されたすべての溶接条件項目を１つの表示部で確認することができる。【００５５】
このようにして、ＭＩＧ溶接をワイヤ径１．４ｍｍで行う溶接条件項目が選択されると、溶接条件選択部１２が、ＭＩＧ溶接をワイヤ径１．４ｍｍで行うための予め定められた具体的な溶接条件データを溶接条件記憶部１３から検索して選択する。例えば、電流波形の立ち上がり時間などの溶接波形パラメータなど、溶接機本体で実現可能な予め設定された条件データを選択する。したがって、この選択された溶接条件データが溶接機本体に送られ、この溶接条件データに基づいて溶接が行われる。【００５６】
しかし、溶接機本体がＭＩＧ溶接をワイヤ径１．４ｍｍで行えない場合は、そのような組み合わせが溶接条件記憶部１３には記憶されていない。したがって、この場合、溶接条件選択部１２から警報信号が溶接電源装置データ送信部１０から設定器１に送信される。この警報信号を設定器１の溶接電源装置データ受信部３が受信し、表示用データ変換部４を経て表示部１６に点滅信号などにより警報を発する。ユーザはこの警報を確認して、第２スイッチ入力部６２の十字キーの上部を押すことによって、溶接条件項目の内容である溶接法を変更する。また、第２スイッチ入力部６２の十字キーの下部を押すことによって、溶接条件項目の内容である溶接ワイヤ径を変更する。あるいは、第２スイッチ入力部６２の十字キーの右部を押すことによって、溶接条件項目のうち溶接材質を選択し変更する。これにより、溶接機本体が溶接可能な溶接条件の内容の組み合わせを選択して溶接を行う。【００５７】
本実施の形態の場合でも、例えば、溶接機本体を別のものに変更し、溶接電源装置８側で溶接条件のプログラムソフトを変更することにより溶接条件項目の内容や溶接条件データなどを変更した場合、設定器１はなんら変更することなく、これまで用いていた設定器１で溶接条件項目が設定できる。例えば、溶接条件項目の溶接法の内容が、ＭＡＧ溶接やＭＩＧ溶接以外に、ＣＯ２溶接が可能となった場合、プログラムソフトなどを変更してＣＯ２溶接で溶接可能な具体的な溶接条件データを溶接条件記憶部１３に記憶させる。このような場合でも、これまでの設定器１を用いて、第２スイッチ入力部６２の十字キーの上部を押すことによって、溶接条件項目の内容を変更指示する。また、溶接電源装置８側で溶接材質または溶接ワイヤ径を変更した場合、第２スイッチ入力部６２の十字キーの右部または下部を押すことによって、溶接条件項目の内容を変更指示する。これにより、新しい設定器１を用いることなく、溶接機本体が溶接可能な溶接条件の内容の組み合わせを選択して溶接を行える。【００５８】
ところで、本実施の形態では、上記したように、第１スイッチ入力部６１の十字キーの右部を押せば、ヘルプ機能を選択できる。十字キーの下部を押せば、電流波形表示機能を選択できる。十字キーの左部を押せば、電圧波形表示機能を選択できる。【００５９】
ヘルプ機能について説明する。第１スイッチ入力部６１の十字キーの右部が押されたことを示すデータが、スイッチデータ変換部７を経て設定器データ送信部２から溶接電源装置８に送信される。このデータは溶接電源装置８の設定器データ受信部９で受信され、機能選択部２２に送られる。これによって、機能記憶部１５に記憶されている機能のうち、ヘルプ機能が選ばれる。機能記憶部１５で選ばれたヘルプ機能のデータが溶接電源装置データ送信部１０から設定器１に送信される。溶接電源装置データ送信部１０から送信されたデータは設定器１の溶接電源装置データ受信部３で受信し、表示用データ変換部４を経て表示部１６に「ヘルプ機能」という表示を行う。ユーザはこの表示を確認して、第２スイッチ入力部６２の十字キーの上部または下部を押し、ヘルプ機能の大項目を選択する。例えば、大項目として、ＭＩＧ溶接、ＭＡＧ溶接、ＣＯ２溶接など溶接法を選択できる。第２スイッチ入力部６２の十字キーの上部または下部を押すことによって選択された大項目のデータは、溶接電源装置データ送信部１０から溶接電源装置データ受信部３を経由して、表示部１６に表示される。ユーザはこの表示を確認して、第２スイッチ入力部６２の十字キーの左部または右部を押し、選択された大項目の中の小項目の内容を順次変更指示する。順次変更指示することにより、機能記憶部１５に記憶されているヘルプ機能の小項目が順次選択される。順次選択されたデータが溶接電源装置データ送信部１０から溶接電源装置データ受信部３を経由して、表示部１６に表示され、ユーザは具体的な対応策の内容を表示部１６で確認することができる。【００６０】
例えば、右部や左部を押すことによって、「欠陥を出さない」、「各種継手の溶接」など溶接のノウハウを選択できる。したがって、第２スイッチ入力部６２の十字キーの上部または下部を押すことによって大項目として「ＭＡＧ溶接」を選択し、第２スイッチ入力部６２の十字キーの左部または右部を押すことによって「欠陥を出さない」を選択した場合、設定器１の表示部１６には、「ＭＡＧ溶接で欠陥を出さないように溶接する方法」がドットマトリクス表示部１６に表示される。【００６１】
次に電流波形表示機能について説明する。第１スイッチ入力部６１の下部を押すことによって、電流波形表示機能を選択した場合、そのデータが設定器データ送信部２から送信データ受信部９を経て機能選択部２２に送られる。これによって、機能記憶部１５に記憶されている、現在選択されている溶接法に関する標準の電流波形がドットマトリクス表示部１６に表示される。図９は本実施の形態におけるドットマトリクス表示部１６の表示例を示す図である。図９において、ドットマトリクス表示部１６の波形表示領域１６ａには、例えばパルス溶接に用いられるパルス状の標準電流波形ＩＷが表示されている。標準電流波形ＩＷには、パルス周波数ＰＦＲＱ、立ち上がり時間ＰＲＩＳＥ、ピーク期間ＰＰＥＡＫ、ピーク電流ＩＰ、ベース電流ＩＢなどの電流波形要素の示す位置も示されている。ドットマトリクス表示部１６の要素表示領域１６ｂには、電流波形要素のうちのパルス周波数ＰＦＲＱ、ピーク電流ＩＰ、ベース電流ＩＢの具体的な数値が各表示窓ＰＦＲＱ、ＩＰ、ＩＤに表示されている。ここで、第２スイッチ入力部６２の十字キーの上部または下部を押すことにより、ドットマトリクス表示部１６の要素表示領域１６ｂの電流波形要素の表示窓を上または下にスクロールさせて、他の電流波形要素、例えば立ち上がり時間ＰＲＩＳＥやピーク期間ＰＰＥＡＫの表示窓をハイライトさせる。なお、その際、別途設定器１に設けた数値入力キーにより電流波形要素の変更を可能にしている。すなわち、第２スイッチ入力部６２の上部または下部を押すことにより、ドットマトリクス表示部１６の要素表示領域１６ｂに表示させたい電流波形要素の表示窓を上または下にスクロールさせて、変更したい電流表示要素の表示窓を選択する。その後、数値入力キーで電流波形要素を変更する。この変更に伴って、波形表示領域１６ａに表示されている電流波形も変更後の電流波形要素に応じた電流波形ＩＷに変更できる。これにより、ユーザは、所望の電流波形ＩＷを容易に得ることができる。【００６２】
次に、第１スイッチ入力部６１の左部を押すことによって、電圧波形表示機能を選択することができる。しかし、電圧波形表示機能を選択した場合の動作は、電流波形表示機能を選択した場合と同様であるので、説明は省略する。【００６３】
以上のように、本実施の形態では、第１スイッチ入力部６１の十字キーを操作することにより、溶接条件項目選択機能やヘルプ機能や電流波形表示機能などの機能を選択できる。選択された機能は機能選択部２２に送られ、機能記憶部１５から選択された機能に対応する表示がドットマトリクス表示部１６で行われる。溶接条件項目選択機能が選ばれた場合には、溶接条件項目記憶選択部１１で溶接条件項目の内容が選択され、溶接条件選択部１２により溶接条件記憶部１３から具体的な溶接条件データが検索できる。これによって、設定器１を変更することなく溶接条件項目の内容を変更し設定できる。【００６４】
（実施の形態４）
本実施の形態は、実施の形態１に加えて、設定器１は、溶接条件項目の内容として設定する電流や電圧の値を変更する変更量を入力するものである。本実施の形態について図１０を用いて説明する。なお、本実施の形態において実施の形態１〜３と同様の構成については同一の符号を付して詳細な説明を省略する。【００６５】
図１０は本実施の形態における溶接装置を構成する設定器１と溶接電源装置８の概略構成を示す図である。実施の形態１〜３と同様、溶接出力部分などアーク溶接に関する部分は図示と説明を省略する。【００６６】
本実施の形態においては、まず、実施の形態１と同様の構成を備えている。すなわち、設定器１は、設定器データ送信部２と溶接電源装置データ受信部３と表示用データ変換部４と表示部５とスイッチ入力部６とスイッチデータ変換部７とを備えている。また、溶接電源装置８は、設定器データ受信部９と溶接電源装置データ送信部１０と溶接条件項目記憶選択部１１と溶接条件選択部１２と溶接条件記憶部１３とを備えている。【００６７】
さらに、本実施の形態では、図１０において、設定器１は、溶接条件項目の内容として設定する電流や電圧を表示する電流電圧表示部１７を有している。また、電流電圧表示部１７に表示している電流や電圧の値を変更する変更量を入力する電流電圧変更部１８を有している。さらに、入力された変更量を溶接電源装置８に送信できるように変更量データに変換する電流電圧変更量変換部１９を有している。なお、電流電圧表示部１７は、電流表示用と電圧表示用の２つの表示部としてもよいし、電流と電圧の両方を１つの画面で表示できる液晶画面などとしてもよい。また電流電圧変更部１８は電流変更用と電圧変更用の２つを設けても良いし、１つで兼用してもよい。電流電圧変更部１８の例としては、変更量が離散的に変更されるロータリーエンコーダーなどを用いたジョグダイアルや、変更量が連続的に変更される可変抵抗器などが挙げられる。また、電流電圧表示部１７に表示される電圧や電流は、溶接電源装置８が動作する際の目標値となる設定電流や設定電圧と言われるものであり、本実施の形態はこの設定電流や設定電圧の設定を変更するものである。【００６８】
溶接電源装置８は、溶接電源装置８に固有の基準値となる電流や電圧、および後述する電流電圧決定部２１が算出した電流や電圧が記憶される電流電圧記憶部２０を有している。また、送信された変更量データと電流電圧記憶部２０が記憶する基準電流や基準電圧とから新たな電流や電圧を演算決定する電流電圧決定部２１を有している。【００６９】
すなわち、本実施の形態が実施の形態１と異なる主な点は、設定器１が電流電圧表示部１７と電流電圧変更部１８と電流電圧変更量変換部１９とを備え、溶接電源装置８が電流電圧記憶部２０と電流電圧決定部２１を備えた点である。【００７０】
以上のように構成された溶接電源装置８と設定器１についてその動作を説明する。起動時の動作および溶接条件項目の内容の選択や表示については実施の形態１と同様である。しかし、本実施の形態の設定器１は、後述するように電流電圧変更部１８によって電流電圧表示部１７に表示されている電流や電圧の値に対する変更量を決定し、その変更量を電流電圧変化量変換部１９で変更量データに変換し、設定器データ送信部２を介して溶接電源装置８に送信する。【００７１】
溶接電源装置８の電流電圧決定部２１は、設定器１から送られ設定器データ受信部９で受信した変更量データと電流電圧記憶部２０に記憶された基準電流、基準電圧とから新たな電流、電圧を算出する。【００７２】
設定器１の電流電圧変更部１８として、変更量が離散的に変更されるジョグダイアルを用い、電流値を変更する場合を例にして説明する。本実施の形態では、ジョグダイアルを右方向に１ピッチ回す毎に電流が１Ａ増加し、ジョグダイアルを左方向に１ピッチ回す毎に電流が１Ａ減少するように予め設定されている。また、溶接電源装置８の電流電圧記憶部２０が記憶している基準電流が１００Ａであるとする。【００７３】
起動状態では、溶接電源装置８の溶接電源装置データ送信部１０から設定器１に電流の情報として電流電圧記憶部２０が記憶している基準電流１００Ａのデータを送る。設定器１では、溶接電源装置データ受信部３で基準電流１００Ａのデータを受信し、電流電圧表示部１７には「１００Ａ」と表示する。そして、設定器１の電流電圧変更部１８としてのジョグダイアルを右方向に１ピッチ回したとする。すると、電流の変更量データとしてジョグダイアルが右方向に１ピッチ回されたことを表す信号が設定器１の設定器データ送信部２から溶接電源装置８に送信される。この信号を設定器データ受信部９を介して受信した溶接電源装置８の電流電圧決定部２１は、基準電流である１００Ａとジョグダイアルを右方向に１ピッチ回したことに対応する１Ａとから演算により１０１Ａを得る。そして、溶接電源装置８は、算出結果である１０１Ａを電流電圧記憶部２０に記憶すると共に、表示用データとして溶接電源装置データ送信部１０から設定器１に送信する。その結果、設定器１の電流電圧表示部１７には「１０１Ａ」と表示される。なお、さらに設定器１の電流電圧変更部１８としてのジョグダイアルを右方向に１ピッチ回した場合、溶接電源装置８は、電流電圧記憶部２０に記憶された電流である１０１Ａとジョグダイアルを右方向に１ピッチ回したことに対応する１Ａとを演算して１０２Ａとして電流電圧記憶部２０に記憶し、設定器１の電流電圧表示部１７には「１０２Ａ」が表示される。このように、算出の基準となる値は随時変更できるものである。なお、溶接電源装置８を停止し、再度起動した場合には、電流電圧記憶部２０に記憶されている最後の値（１０２Ａ）が算出の基準となる。【００７４】
また、ジョグダイアルを右方向に１ピッチ回したことに対応する電流値や電圧値は、変更を容易にするため、溶接電源装置８の定格出力容量によって変わるものである。電流値を例として説明する。ただし、溶接電源装置８の定格出力容量が５００Ａであった場合、ジョグダイアルを右方向に１ピッチ回したことに対応する電流値の変更量の基準電流は１Ａであるとする。この場合、定格出力容量が５００Ａに対する係数は１であるとする。したがって、この場合、ジョグダイアルを右方向に１ピッチ回したことに対応する電流値は１Ａ×１で１Ａである。一方、被溶接物の溶接材質やワイヤ径の変更により、溶接電源装置８の定格出力容量が３５０Ａに変更された場合、定格出力容量３５０Ａに対する係数を０．７とする。これにより、ジョグダイアルを右方向に１ピッチ回したことに対応する電流値を１Ａ×０．７で０．７Ａとできる。なお、この係数は、定格出力容量が変更される際に、溶接電源装置８の図示しない記憶部に、手動あるいは自動演算により設定できるものである。自動演算の場合は、例えば、５００Ａに対する変更後の定格出力容量の割合で演算させることができる。従って、溶接電源装置８の定格出力容量が異なる場合でも、ジョグダイアルを右方向に１ピッチ回したことに対応する電流値は係数などを変更することにより溶接電源装置８側で定義される。したがって、溶接電源装置８の定格出力容量が変更された場合でも設定器１を改造変更や取替えなどをする必要はなく、この設定器１を用いて変更された定格出力容量に対応して溶接電源装置８の電流値の条件設定ができる。【００７５】
なお、溶接電源装置８の溶接出力の制御は、電流電圧決定部２１により算出され電流電圧記憶部２０に記憶された電流値や電圧値を設定電流や設定電圧として行われる。【００７６】
以上のように、本実施の形態の溶接装置においては、実施の形態１に加えて、電流や電圧の設定に関して、設定器１は、電流電圧変更部１８で設定電流や設定電圧の変更量の指示だけを行う機能を有しているだけである。これにより、溶接電源装置８の定格溶接出力容量に合わせて電流電圧決定部２１が算出に用いる係数を変更するだけで、設定器１による設定電流や設定電圧の設定が可能となる。したがって、設定器１の改造変更や取り替えを行うことなく溶接電源装置８の溶接出力容量に応じた電流や電圧を設定することができる。【００７７】
また、本実施の形態の溶接装置では、設定器１は溶接電流値は絶対的な設定値を送るのではなく溶接電流値の変更量データを溶接電源装置８に送る。溶接電源装置８は、電流電圧記憶部２０が記憶している基準電流値（例えば、１００Ａ）と設定器１から送られてきた変更量データ（例えば、プラス１０Ａ）に基づいて溶接電流値を演算し（例えば、１１０Ａ）、この溶接電流値で溶接を行う。それとともに、溶接電源装置８は溶接電流値（例えば、１１０Ａ）を設定器１に送り、設定器１は、溶接電源装置８から送られてきた溶接電流値（例えば、１１０Ａ）を表示する。このように、本実施の形態の溶接装置では、溶接電源装置８で実際に溶接を行う溶接電流値を設定器１に表示して作業者に視認可能とすることができる。【００７８】
したがって、従来のように、設定器で溶接電流値を入力して変更した場合の誤動作を防止できる。すなわち、例えば、溶接電流値を１００Ａから１１０Ａに変更した場合、その情報が正しく溶接電源装置８に送られず、作業者は１１０Ａで溶接していると認識しているにもかかわらず、実際には例えば１００Ａで溶接が行われているという誤動作を防げる。【００７９】
なお、本実施の形態の溶接装置として、実施の形態３の溶接装置の構成に、電流電圧表示部１７、設定電流電圧変更部１８、設定電流電圧変更量変換部１９、設定電流電圧記憶部２０、設定電流電圧決定部２１を組み合わせて実現することもできる。これにより、溶接電源装置８に新規追加された機能を使用することもできる。【００８０】
なお、電流電圧変更部１８は、例えば波形制御のためのパラメータ変更など、設定電流、設定電圧以外の変更量の決定にも用いることができる。【００８１】
なお、これまでの実施の形態では、表示部５として１文字当たり１６セグメントのＬＥＤ表示装置５１や液晶表示装置１４などの素子を例示した。しかし、これらは一例であり、これらに限らずたとえば有機ＥＬ表示素子など表示の目的に合う表示素子を任意に選択することができる。
【産業上の利用可能性】
【００８２】
本発明は、溶接電源装置の溶接条件項目の内容が変更された場合でも、設定器の改造変更をする必要がないので、生産現場での溶接装置への変更をスムーズに行うことができる。したがって、設定器により溶接電源装置の設定を行う溶接装置として有用である。
【図１】
2009122657.tif 000003
【図２Ａ】
2009122657.tif 000004
【図２Ｂ】
2009122657.tif 000005
【図２Ｃ】
2009122657.tif 000006
【図３】
2009122657.tif 000007
【図４】
2009122657.tif 000008
【図５】
2009122657.tif 000009
【図６】
2009122657.tif 000010
【図７】
2009122657.tif 000011
【図８】
2009122657.tif 000012
【図９】
2009122657.tif 000013
【図１０】
2009122657.tif 000014
【図１１】
2009122657.tif 000015
【手続補正書】
【提出日】平成21年5月14日(2009.5.14)
【手続補正１】
【補正対象書類名】明細書
【補正対象項目名】全文
【補正方法】変更
【補正の内容】
【発明の詳細な説明】
【技術分野】
【０００１】
本発明は、溶接に用いられる溶接装置およびその溶接条件の設定に用いられる溶接装置の設定器に関するものである。
【背景技術】
【０００２】
従来の溶接装置は、アーク溶接などを行う溶接装置本体に対して溶接出力を行う溶接電源装置と、この溶接電源装置に対して溶接条件の設定などを遠隔で行う設定器とを備えていた。設定器は、特定の溶接電源装置に対応したものであり、その特定の溶接電源装置が実行可能な所定の溶接条件や溶接出力などについてのみ設定や表示などを行うことができるものである。
【０００３】
特許文献１に記載の従来の溶接装置について図１１を用いて説明する。図１１は、従来の溶接装置の概略構成を示す図である。図１１に示す溶接装置は、設定器１０１と溶接電源装置１０２とに関する部分のみ記載しており、溶接出力部分などのアーク溶接などに必要な溶接装置本体の構成については省略している。
【０００４】
図１１において、設定器１０１は、溶接電流を調整する溶接電流調整器１０３と、溶接電圧を調整する溶接電圧調整器１０４と、溶接法を切り替える溶接法切り替え器１０５とを備えている。図１１では、２つの溶接法切り替え器１０５は一体として動作する。溶接電源装置１０２は、溶接電流調整器１０３からの信号が加えられる溶接電流制御回路１０７と、溶接電圧調整器１０４からの信号が加えられる溶接電圧制御回路１０８と、溶接法切り替え器１０５からの信号が加えられる溶接法切り替え回路１０９とを備えている。溶接法とは、CO２自動アーク溶接やアークガウジングや手溶接などであって、溶接法切り替え器１０５によりこれらの溶接法を切り替える。設定器１０１はケーブル１０６によって溶接電源装置１０２と接続され、溶接法や溶接電流や溶接電圧の設定や変更などを行う。設定器１０１は、数メートルから場合によっては十数メートルの長さのケーブル１０６を有し、溶接電源装置１０２に接続することで、離れたところから遠隔操作で溶接電源装置１０２の設定を変更することができる。
【０００５】
ところで、溶接を行う場合、一般的に、溶接電源装置１０２に対して被溶接物の特長に合わせた溶接条件を設定する必要がある。主な溶接条件としては、溶接法や溶接電流や溶接電圧などがある。従来の溶接電源装置１０２と設定器１０１を用いる場合では、例えば溶接法を変更して新しく設定する場合、溶接法切り替え器１０５を切り替える。溶接法切り替え器１０５が接点１０５ａを選択したときは、溶接法切り替え回路１０９はＣＯ２自動アーク溶接と判断する。同様に、溶接法切り替え器１０５が接点１０５ｂ、１０５ｃをそれぞれ選択したときは、溶接法切り替え回路１０９は、それぞれアークガウジング、手溶接と判断する。このように、従来の溶接装置では、設定器１０１から送られてくるスイッチなどの切り替え信号によって、上記した３つの溶接法を切り替えていた。
【０００６】
しかしながら、これら３つの溶接法以外の溶接法を、溶接のプログラムソフトの変更などにより溶接電源装置１０２側で追加した場合、従来の設定器１０１では、例えば溶接法切り換え器１０５がこの追加された溶接法に対応する接点を有していないなど、追加された溶接法を設定できる構成ではないので、追加された溶接法を選択できない。
【０００７】
また、溶接条件としては、溶接法以外に、溶接時の溶接ワイヤ径や被溶接物の溶接材質や制御法などが挙げられる。従来の溶接装置では、このような溶接法以外の溶接条件を、溶接のプログラムソフトの変更などにより溶接電源装置１０２側で変更あるいは追加する場合でも、設定器１０１が特定の溶接電源装置１０２に対応するものであるため、上記と同様に、同様に変更、追加された溶接条件を選択できない。
【０００８】
このような課題に対応するため、設定器１０１の溶接法切り替え器１０５などの接点数を増やすなどして対応することが考えられる。しかし、この場合には設定器１０１の改造を行わなければならない。また、溶接条件を追加する前に使用していた設定器１０１に替えて、接点数が多い別の設定器１０１をわざわざ用意する必要がある。
【０００９】
さらに、溶接電源装置１０２の溶接出力容量が変更された場合についても同様である。この場合、設定器１０１の改造や取り替えを行わずに、元の設定器１０１に設けられた、電流や電圧を調節する図示しない可変抵抗器を用いて溶接出力容量の変更に対応することが考えられる。しかし、この場合には、可変抵抗器の指示位置が同一であっても溶接出力容量の違いにより実際に出力される電流や電圧が異なってしまう。
【００１０】
このように、従来の溶接装置では、例えば溶接電源装置１０２に溶接法が追加された場合や溶接出力容量が変更された場合には、改造や変更を施す前の設定器１０１を溶接電源装置１０２に接続して使用できなかった。すなわち、従来の溶接装置は、設定器１０１は溶接電源装置１０２に個別に対応したものであるため、溶接電源装置１０２に実行可能な溶接条件が追加されたり、溶接電源装置１０２の溶接出力容量が変更されたりするたびに、設定器１０１を交換するか、または設定器１０１を改造変更しなければならないという課題があった。
【先行技術文献】
【特許文献】
【００１１】
【特許文献１】特開平１０−１０９１６６号公報
【発明の概要】
【００１２】
本発明は、溶接電源装置の溶接条件の追加や変更などが行われた場合でも、設定器を改造変更したり取り替えたりすることなく、溶接条件の追加や変更された溶接電源装置に接続して使用できる溶接装置およびその設定器を提供するものである。
【００１３】
本発明の溶接装置は、溶接電源装置と、溶接電源装置に溶接条件を設定するための設定器とを備える。設定器は、溶接条件項目の内容を変更させる指示を入力する変更指示入力部と、変更指示入力部で入力した変更指示情報を溶接電源装置に送信する設定器データ送信部と、溶接電源装置から送信された溶接条件項目の内容に関する情報を受信する溶接電源装置データ受信部と、溶接電源装置データ受信部で受信した溶接条件項目の内容に関する情報に基づいて溶接条件項目の内容を表示する表示部とを備える。溶接電源装置は、設定器から送信された変更指示情報を受信する設定器データ受信部と、複数の溶接条件項目の内容を記憶し、設定器データ受信部で受信した変更指示情報に基づいて溶接条件項目の内容を選択する溶接条件項目記憶選択部と、溶接条件項目記憶選択部で選択した溶接条件項目の内容に関する情報を設定器に送信する溶接電源装置データ送信部とを備える。設定器の表示部は、溶接条件項目記憶選択部が選択した溶接条件項目の内容を表示する構成を有する。
【００１４】
このような構成によれば、設定器は溶接電源装置の溶接条件の追加や変更が行われた場合でも、設定器を改造変更したり取り替えたりする必要がなく、溶接法などの溶接条件を自在に設定することができる。
【図面の簡単な説明】
【００１５】
【図１】本発明の実施の形態１における溶接装置を構成する設定器と溶接電源装置の概略構成を示す図
【図２Ａ】同設定器の表示部を示す構成図
【図２Ｂ】同設定器の表示部の表示の一例を示す図
【図２Ｃ】同設定器の表示部の表示の他の例を示す図
【図３】同溶接装置の溶接条件選択の流れを示す説明図
【図４】本発明の実施の形態２における溶接装置を構成する設定器のスイッチ入力部を示す図
【図５】同設定器の表示部を示す図
【図６】同溶接装置の溶接条件項目の流れを示す説明図
【図７】同溶接装置における設定器の他の表示部を示す図
【図８】本発明の実施の形態３における溶接装置を構成する設定器と溶接電源装置の概略構成を示す図
【図９】同溶接装置の表示例を示す説明図
【図１０】本発明の実施の形態４における溶接装置を構成する設定器と溶接電源装置の概略構成を示す図
【図１１】従来の溶接装置を構成する設定器と溶接電源装置の概略構成を示す図
【発明を実施するための形態】
【００１６】
（実施の形態１）
本発明の実施の形態１の溶接装置について図１〜図３を用いて説明する。図１は本発明の実施の形態１における溶接装置を構成する設定器および溶接電源装置を示す概略構成図である。図１において、本実施の形態の溶接装置は主に、設定器１と溶接電源装置８との構成部分について説明する。溶接出力部分などのアーク溶接に関する溶接装置本体の構成は既知の技術であり、説明を省略する。なお、設定器１と溶接電源装置８とは別体であり、有線や無線などにより互いに情報のやりとりが可能となっている。
【００１７】
図１において、設定器１は、溶接電源装置８へ設定器１の情報を送信するための送信部である設定器データ送信部２と、溶接電源装置８から溶接電源装置８の情報を受信するための受信部である溶接電源装置データ受信部３とを有している。さらに、１つの溶接条件項目の内容を表示する表示部５と、溶接電源装置データ受信部３で受信した情報の１つである表示用データを、表示部５に文字記号表示するために変換する表示用データ変換部４とを有している。さらに、溶接条件項目の内容を変更させる指示を入力する変更指示入力部であるスイッチ入力部６と、スイッチ入力部６に入力されたスイッチのオン−オフ信号（変更指示情報）を、設定器データ送信部２から送信できるように、スイッチデータに変換するスイッチデータ変換部７とを有している。なお、スイッチ入力部６としては、例えば押しボタンスイッチなどが挙げられる。そして、スイッチのオン−オフ信号とは、押しボタンスイッチが１度押されてから離された状態までに発生する信号をいう。
【００１８】
溶接電源装置８は、設定器１から設定器１の情報を受信するための受信部である設定器データ受信部９と、設定器１へ溶接電源装置８の情報を送信するための送信部である溶接電源装置データ送信部１０とを有している。さらに、溶接条件項目の内容を複数記憶し、設定器１から送られてきたスイッチ入力部６からの変更指示情報に基づいて溶接条件項目の内容の１つを選択する溶接条件項目記憶選択部１１を有している。選択された溶接条件項目の内容は、溶接電源装置データ送信部１０から設定器１に表示用データとして送信されて、設定器１の表示部５で溶接条件項目の内容の表示を行う際にも使用される。さらに、溶接電源装置８は、溶接条件項目の内容に対応した溶接条件データを記憶する溶接条件記憶部１３を有している。溶接条件記憶部１３に記憶されている溶接条件データは、この溶接電源装置８で実際に動作可能な溶接条件項目の各内容に対応する溶接条件データである。さらに、溶接電源装置８は、溶接条件項目記憶選択部１１で選択された溶接条件項目の内容に基づいて、溶接条件記憶部１３から溶接条件データを選択する溶接条件選択部１２を有している。
【００１９】
ここで、本実施の形態では、溶接条件項目としては、溶接法や溶接ワイヤ径や被溶接物の溶接材質や制御法や溶接電流や溶接電圧などが挙げられる。本実施の形態では、溶接条件項目として溶接法を例に説明する。したがって、本実施の形態では、溶接条件項目が１種類であるため、溶接条件項目記憶選択部１１に記憶された溶接条件項目の内容は、溶接法に関するもののみとなる。溶接条件項目の内容としては、本実施の形態のように溶接条件項目が溶接法の場合、ＣＯ２自動アーク溶接、半自動アーク溶接、アークガウジング、手溶接などである。本実施の形態では、半自動アーク溶接のうち、Ｍｅｔａｌ  Ａｃｔｉｖｅ  Ｇａｓ（ＭＡＧ）溶接とＭｅｔａｌ  Ｉｎｅｒｔ  Ｇａｓ（ＭＩＧ）溶接を例に説明している。したがって、溶接条件記憶部１３に記憶された溶接条件データは、本実施の形態では、ＭＡＧ溶接およびＭＩＧ溶接に際しての具体的な数値データである。すなわち、本実施の形態における溶接電源装置８で実際にＭＡＧ溶接およびＭＩＧ溶接が実施可能な、電流波形の立ち上がり時間などの溶接波形パラメータなどに関する、具体的な数値データである。
【００２０】
また、溶接条件項目が溶接ワイヤ径の場合、溶接条件項目の内容として、ワイヤ径の具体数値、例えば、１．０ｍｍや１．２ｍｍなどの数値が溶接条件項目記憶選択部１１に記憶される。このとき、溶接条件記憶部１３に記憶される溶接条件データは、これらの径の溶接ワイヤで溶接するための溶接波形パラメータなどである。
【００２１】
さらに、溶接条件項目が溶接材質の場合、溶接条件項目の内容として、アルミニウムや軟鋼などの材料名が溶接条件項目記憶選択部１１に記憶される。このとき、溶接条件記憶部１３に記憶される溶接条件データは、これらの溶接材質を溶接ワイヤで溶接するための溶接波形パラメータなどである。
【００２２】
設定器１と溶接電源装置８との間の情報のやりとりは、設定器１では、設定器データ送信部２と溶接電源装置データ受信部３とで行われる。また、溶接電源装置８では、設定器データ受信部９と溶接電源装置データ送信部１０とで行われる。
【００２３】
以上のように溶接電源装置８と設定器１とから構成された本実施の形態の溶接装置について、その動作を説明する。先ず、溶接電源装置８と設定器１とが接続され、または通信可能な状態に設定され、溶接電源装置８の図示しない起動スイッチがオンにされる。そして、溶接電源装置８はその溶接電源装置８がもつ最も代表的な溶接条件項目の内容を溶接電源装置データ送信部１０を介して設定器１に送信する。例えば、本実施の形態では、溶接条件項目記憶選択部１１に、溶接法の内容として、すなわち、溶接条件項目の内容として、ＭＡＧ溶接とＭＩＧ溶接を示す情報がこの順に記憶されている。さらに、溶接電源装置８と設定器１とが接続されて溶接電源装置８の起動スイッチがオンにされると、最初に記憶されている溶接法の内容を表示内容として設定器１に送信する。したがって、本実施の形態で、溶接電源装置８と設定器１とが接続されて溶接電源装置８の起動スイッチがオンにされると、溶接条件項目の内容であるＭＡＧ溶接を示す情報が、表示用データとして溶接電源装置データ送信部１０を介して設定器１に送信される。
【００２４】
設定器１は、ＭＡＧ溶接を示す表示用データを溶接電源装置データ受信部３を介して受信する。表示用データ変換部４は、溶接電源装置データ受信部３で受信した、ＭＡＧ溶接を示す表示用データを変換し、溶接条件項目の内容として「ＭＡＧ」を表示部５により表示する。
【００２５】
本実施の形態では、表示部５の一例として、図２Ａに示すように１文字当たり１６セグメント５１のＬＥＤ表示装置を用いている。図２Ｂと図２ＣはこのＬＥＤ表示装置による表示例である。本実施の形態では、溶接電源装置８の起動スイッチがオンにされると、図２Ｂに示すように、溶接法として「ＭＡＧ」が表示される。溶接条件項目記憶選択部１１に、溶接法として、ＭＩＧ溶接が最初に記憶されている場合は、溶接電源装置８の起動スイッチがオンにされたとき、設定器１の表示部５には、図２Ｃに示すように、溶接法として「ＭＩＧ」が表示される。
【００２６】
本実施の形態では、溶接電源装置８の起動スイッチがオンにされたとき、溶接条件項目記憶選択部１１に最初に記憶されている溶接条件項目の内容を表示するようにしたが、本発明は、これに限ることはない。例えば、前回使用した溶接条件項目の内容を表示するようにしてもよいし、あるいは任意の予め定めた固定の溶接条件項目の内容を表示するようにしてもよい。また、過去、一番使用頻度の多かった溶接条件項目の内容を表示するようにするなどしてもよい。
【００２７】
次に、図１において、設定器１のスイッチ入力部６によりスイッチのオン−オフ信号が入力されると、その信号はスイッチデータ変換部７によって溶接電源装置８に送信可能なスイッチデータに変換される。スイッチデータ変換部７によって変換されたスイッチデータは、設定器データ送信部２により溶接電源装置８に送られる。これによって、入力されたオン−オフ信号が溶接電源装置８に送られる。溶接電源装置８は、スイッチ入力部６のオン−オフ信号を設定器データ受信部９により受信する。溶接電源装置８では、図３に示すように、溶接条件項目記憶選択部１１は、設定器データ受信部９で受信したスイッチデータであるオン−オフ信号に基づいてインデックスを１つ進める。すなわち、溶接条件項目記憶選択部１１には、各溶接条件項目の内容がそれぞれ対応するインデックスとともに記憶されており、１つのオン−オフ信号に基づいてインデックスが１つ進められる。図３に示すように、溶接条件項目記憶選択部１１にＷ１からＷ６までの６個の溶接法の内容（溶接条件項目の内容）が記憶されている場合は、オン−オフ信号の数に基づいて溶接法の内容のＷ１からＷ６が順次指示される。Ｗ６が指示された後は、再びＷ１に戻って、同様の動作が繰り返される。
【００２８】
また、図１において、溶接条件項目記憶選択部１１で１つの溶接条件項目の内容が指示されて選択されると、選択された溶接条件項目の内容に基づいて、溶接条件選択部１２は、選択された溶接条件項目の内容に対応する実際の溶接条件データを溶接条件記憶部１３から検索する。溶接条件記憶部１３は、溶接条件項目記憶選択部１１に記憶されている溶接条件項目の内容に対応させて、溶接電源装置８が実際に動作可能な具体的な溶接条件データを記憶している。したがって、溶接条件項目記憶選択部１１で１つの溶接条件項目の内容が選択されると、選択された溶接条件項目の内容に対応する溶接条件データが溶接条件記憶部１３から検索される。溶接条件記憶部１３から検索された溶接条件データは、溶接電源装置８の内部および溶接装置本体で溶接実行のためのデータとして用いられる。また、溶接条件項目記憶選択部１１で指示されて選択された溶接条件項目の内容は、表示用データとして溶接電源装置データ送信部１０により設定器１に送信される。設定器１は、溶接電源装置データ送信部１０より送信された溶接条件項目の内容の表示用データを溶接電源装置データ受信部３により受信し、表示用データ変換部４により表示用データを変換し、溶接条件項目の内容を表示部５により表示する。
【００２９】
図３では、溶接条件項目記憶選択部１１に１個のオン−オフ信号によるスイッチデータが送られ、溶接条件項目の内容であるＷ２が指示されて選択されたことを示している。選択された溶接条件項目の内容（Ｗ２）が溶接条件選択部１２に入力され、溶接条件選択部１２に入力された溶接条件項目の内容により溶接条件記憶部１３から、選択された溶接条件項目の内容に対応する溶接条件データである＜Ｗ２＞が検索される。Ｗ２に対応する、検索された溶接条件データである＜Ｗ２＞は、溶接電源装置８内部および溶接装置本体で、溶接条件データとして溶接動作に使用される。また、図３では、溶接条件項目記憶選択部１１により選択された溶接条件項目の内容（Ｗ２）は、表示用データとして溶接電源装置データ送信部１０により設定器１に送信されることを示している。
【００３０】
ところで、本実施の形態では、溶接電源装置８は、溶接法として、すなわち溶接条件項目の内容として、ＭＡＧ溶接とＭＩＧ溶接の選択が可能である。したがって、溶接条件項目記憶選択部１１には、ＭＡＧ溶接とＭＩＧ溶接の２つがインデックスに対応付けてこの順に記憶されている。インデックスはスイッチのオン−オフ動作１回につき１つ進むように設定されている。したがって、設定器１のスイッチ入力部６のスイッチのオン−オフ動作の１回毎に、先ずＭＡＧ溶接が指定され、次は、ＭＩＧ溶接が指定され、次は、再びＭＡＧ溶接が指定され、これを繰り返す。１回のオン−オフ動作による入力指示の結果として、インデックスがＭＡＧ溶接からＭＩＧ溶接に１つ進められて、ＭＩＧ溶接が選択された場合、溶接条件項目の内容としてＭＩＧ溶接が溶接条件選択部１２に入力される。溶接条件選択部１２は、選択された溶接条件項目の内容により溶接条件記憶部１３からＭＩＧ溶接の溶接条件データを検索し、検索した溶接条件データに基づいて、溶接電源装置８はＭＩＧ溶接を行う。一方、溶接条件項目の内容であるＭＩＧ溶接は、溶接電源装置データ送信部１０により表示用データとして設定器１に送信される。
【００３１】
以上のような本実施の形態の溶接装置においては、溶接条件項目の内容の追加を行う際には、溶接電源装置８の溶接条件項目記憶選択部１１に記憶する溶接条件項目の内容の追加を行う。これとともに、追加された溶接条件の内容に対応する溶接条件データを溶接条件記憶部１３に記憶するだけで、設定器１による溶接電源装置８の溶接条件の設定が可能となる。また、溶接条件項目の内容を変更する際には、溶接電源装置８の溶接条件項目記憶選択部１１に記憶されている変更すべき溶接条件項目の内容を変更する。これとともに、溶接条件記憶部１３に記憶されている変更すべき溶接条件項目の内容に対応する溶接条件データを変更する。これだけで、設定器１による溶接電源装置８の溶接条件の変更設定が可能となる。すなわち、設定器１は、溶接条件項目の内容の変更に際しては、変更指示だけを行う機能を有しているだけである。したがって、設定器１には何ら手を加えることなく、スイッチ入力部６から変更指示を入力し、その内容を表示部５に表示するだけで、追加および変更された溶接条件を選択できる。このように、溶接電源装置８の溶接条件項目の内容の追加および変更を行う場合でも、設定器１の改造変更や新規交換を行う必要はなく、既にある設定器１を用いて溶接法などの溶接条件項目の内容を設定することができる。
【００３２】
また、新たに溶接電源装置を導入した場合でも、導入前の溶接電源装置で使用していた設定器を破棄して新たな設定器を用意する必要がないので資源の節約にもなる。
【００３３】
なお、設定器１と溶接電源装置８との間の通信としては、本実施の形態以外にも、各種シリアル通信、パラレル通信および有線、赤外線、無線などあらゆる通信方法を用いることができる。この場合、双方の送信部、受信部はその通信方法に対応することはいうまでもない。
【００３４】
（実施の形態２）
実施の形態１では、溶接条件項目が溶接法という１種類の場合について説明したが、本実施の形態では複数の溶接条件項目を選択する場合について説明する。本実施の形態と実施の形態１との構成上の違いは、本実施の形態では、設定器１の表示部５およびスイッチ入力部６が溶接条件項目の数だけ設けられている点である。
【００３５】
本実施の形態では、溶接条件項目として、被溶接物の溶接材質、溶接ワイヤ径、溶接法の３つが設定できるようになっている。すなわち、スイッチ入力部６には、図４に示すように、溶接材質用スイッチ入力部６ａ、ワイヤ径用スイッチ入力部６ｂ、溶接法用スイッチ入力部６ｃの３つが設けられている。同様に、表示部５は、図５に示すように、溶接材質用表示部５ａ、ワイヤ径用表示部５ｂ、溶接法用表示部５ｃの３つが設けられている。したがって、それぞれのスイッチ入力部６ａ、６ｂ、６ｃを操作することにより、各溶接条件項目の内容がそれぞれに対応する溶接条件項目の表示部５ａ、５ｂ、５ｃにそれぞれ表示される。
【００３６】
すなわち、本実施の形態では、実施の形態１と同様に、各溶接条件項目において、変更指示入力部であるスイッチ入力部６でのそれぞれの入力の結果、溶接電源部８の溶接条件項目記憶選択部１１の内容が指示される。指示されて選択された溶接条件項目の内容が表示用データとして設定器１に送信される。設定器１の表示部５では、各溶接条件項目毎に、スイッチ入力部６での入力に対応して、溶接条件項目の内容を表示する。本実施の形態では、複数の変更指示入力部からなる入力スイッチ部６の入力結果が、溶接条件記憶部１３に記憶された、溶接電源装置８が実際に溶接可能な組み合わせであれば、選択された複数の溶接条件の設定が行える。したがって、実施の形態１と同様にして、溶接電源装置８で溶接条件項目の内容の追加変更が行われても、設定器１の改造変更を加えることなく、その追加変更された溶接条件を選択することができる。
【００３７】
ただし、本実施の形態では、スイッチ入力部６により指示されて選択された溶接条件項目の内容の組み合わせが、溶接電源装置８として実現できず、溶接電源装置８の溶接可能な溶接条件として溶接条件記憶部１３に存在しない場合、設定器１に警告が表示される。このことを図６を用いて説明する。
【００３８】
図６は本実施の形態の動作の流れを示す説明図である。ただし、図６では、溶接条件項目として溶接材質と溶接法の２つが設定できるようになっている。また、それぞれの溶接条件項目の内容は、溶接材質についてはＭ１、Ｍ２の２つが、溶接法については、Ｄ１、Ｄ２、Ｄ３の３つが設定できるようになっている。しかし、溶接電源装置８の実際に溶接可能な溶接条件データの組み合わせとして、次の３つだけが溶接条件記憶部１３に記憶されている。１つ目は、溶接材質Ｍ１と溶接法Ｄ１の組み合わせによる溶接条件データとしての＜Ｍ１Ｄ１＞である。２つ目は、溶接材質Ｍ１と溶接法Ｄ２の組み合わせによる溶接条件データとしての＜Ｍ１Ｄ２＞である。３つ目は、溶接材質Ｍ２と溶接法Ｄ３の組み合わせによる溶接条件データとしての＜Ｍ２Ｄ３＞条件データである。
【００３９】
このような溶接装置において、溶接条件項目記憶選択部１１で、溶接材質用スイッチ入力部６ａで指示された溶接条件項目の内容Ｍ１が選択され、溶接法用スイッチ入力部６ｃで指示された溶接条件項目の内容Ｄ３が選択されたとする。この場合、溶接条件選択部１２には溶接条件項目の内容Ｍ１と溶接条件項目の内容Ｄ３との組み合わせの溶接条件項目の内容Ｍ１Ｄ３が設定され、この溶接条件項目の内容Ｍ１Ｄ３により溶接条件記憶部１３から該当する溶接条件データを検索しようとする。しかし、溶接条件記憶部１３には、溶接条件項目の内容Ｍ１とＤ３の組み合わせに該当する溶接条件データが存在しない。したがって、溶接条件データは変更されず、警報信号であるＥ信号が溶接電源装置データ送信部１０に送られる。溶接電源装置データ送信部１０では、溶接条件項目記憶選択部１１で選択された溶接条件項目の内容Ｍ１とＤ３の組み合わせＭ１Ｄ３を示す信号とともにＥ信号を設定器１の溶接電源装置データ受信部３に送信する。すなわち、溶接条件選択部１２は溶接電源装置データ送信部１０を介して、選択された溶接条件項目の内容の組み合わせＭ１Ｄ３が存在しないことを報知する信号（警報情報）を、表示内容を示すデータに付随させて設定器１に送信する。
【００４０】
例えば、溶接電源装置８が溶接可能な溶接材質の内容として、すなわち溶接条件項目の内容として、アルミニウムＭ１と鉄Ｍ２が溶接条件項目記憶選択部１１に記憶され、また、溶接電源装置８が溶接可能な溶接法の内容として、すなわち溶接条件項目の内容として、ＣＯ２溶接Ｄ１とＭＩＧ溶接Ｄ２とＭＡＧ溶接Ｄ３とが溶接条件項目記憶選択部１１に記憶されているとする。先ず、溶接材質を選定するための溶接材質用スイッチ入力部６ａを操作することによりアルミニウムＭ１が選択され、溶接法用スイッチ入力部６ｃを操作することによりＭＡＧ溶接Ｄ３が選択されたとする。このとき、溶接条件記憶部１３に溶接条件データとしてアルミニウム（Ｍ１）をＭＡＧ溶接（Ｄ３）する組み合わせを備えていないとする。この場合、溶接電源装置８の溶接条件記憶選択部１２は、設定器１に、溶接材質としてアルミニウム（Ｍ１）、溶接法としてＭＡＧ溶接（Ｄ３）を表示用データとして送信する。このとき、これらの組み合わせが存在しないことを報知する信号であるＥ信号（警報情報）もこの表示用データと併せて送信する。溶接条件記憶部１３に、溶接条件としてアルミニウム（Ｍ１）をＭＡＧ溶接（Ｄ３）する組み合わせＭ１Ｄ３を備えていないので、溶接電源装置８としての溶接条件データは変更されない。設定器１はＥ信号を受信した場合、表示部５で表示する「ＭＡＧ」を点滅表示することにより、作業者に対して溶接条件項目の内容の組み合わせが正しくないことを報知させることができる。
【００４１】
溶接条件項目の内容の組み合わせが正しくないことを報知する方法として、本実施の形態のように表示部５を点滅表示させる以外の方法も適用できる。例えば、表示部５での表示の色を赤色などの警告色にしたり、反転表示をしたりすることも可能である。また、警報を示すＥの文字などを付加して表示することも可能である。すなわち、通常の表示とは異なる表示方法を採用すればよい。
【００４２】
本実施の形態では、表示部５としては、図５に示すように、溶接条件項目毎に１６セグメントのＬＥＤ表示装置を備える構成とした。しかし、図７に示すように、液晶パネルのような複数の表示内容を一括表示できる液晶表示器１４を用いることも可能である。図７は、１つの液晶表示器１４に、溶接材質用液晶表示部１４ａとワイヤ径用液晶表示部１４ｂと溶接法用液晶表示部１４ｃとを一括表示した例を示している。これにより、１つの液晶表示部１４で警告信号も含め、多種類の表示を行うことができる。
【００４３】
以上のように、本実施の形態においても、溶接電源装置８の複数の溶接条件項目の内容の追加および変更を行う場合でも、設定器１の改造変更や取り替えを行う必要はなく、この設定器１を用いて複数の溶接条件項目の内容を設定することができる。さらに、本実施の形態においては、溶接電源装置８が実施できない複数の溶接条件項目の内容の組み合わせの場合には、設定器１に警告信号を発することができる。
【００４４】
（実施の形態３）
最近の溶接装置は、実施の形態１、２で説明したような、単に、溶接法や溶接材質を選んだりするだけではなく、多機能な装置が提案されてきている。本実施の形態は、実施の形態１に加えて、このような多機能な溶接装置に本発明を適用したものである。本実施の形態について、図８、図９を用いて説明する。なお、本実施の形態において実施の形態１、２と同様の構成については同一の符号を付して説明する。
【００４５】
図８は、本実施の形態における溶接装置を構成する設定器１と溶接電源装置８の概略構成を示す図である。実施の形態１と同様に、溶接出力部分などアーク溶接に関する部分は説明を省略する。図８において、実施の形態１と異なる点は、設定器１には、表示部５に代えて、文字表示やグラフィック表示などの様々な表示が可能であるドットマトリクス表示部１６を備えている点である。また、設定器１は第１スイッチ入力部６１と第２スイッチ入力部６２を有している点である。また、溶接電源部装置８は、溶接電流および溶接電圧の波形情報を表示する波形表示機能や、いわゆるヘルプ機能を有している点である。
【００４６】
第１スイッチ入力部６１は、機能選択スイッチであって、例えば、十字キーのようなもので構成されている。十字キーの上部を押せば、実施の形態１、２で説明したような、溶接条件項目を設定する溶接条件項目設定機能を選択できる。十字キーの右部を押せば、ヘルプ機能を選択できる。十字キーの下部を押せば、電流波形表示機能を選択できる。十字キーの左部を押せば、電圧波形表示機能を選択できる。
【００４７】
第２スイッチ入力部６２は、例えば、スイッチ入力部６１と同様に、十字キーで構成されており、第１スイッチ部６１で選択された機能に関して各種条件を設定するものである。具体的には、第１スイッチ入力部６１の上部キーを押すことによって、溶接条件項目設定機能を選択した場合、第２スイッチ入力部６２によって、複数の溶接条件項目の内容を指示できる。例えば、第２スイッチ入力部６２の十字キーの上部を押す毎に溶接法（MAG溶接やＭＩＧ溶接など）を順次指示する。同十字キーの右部を押す毎に、溶接材質（アルミニウムや鉄など）を順次指示する。同十字キーの下部を押す毎に、溶接ワイヤの径（１ｍｍや１．２ｍｍなど）を順次指示する。すなわち、第２スイッチ入力部６２の十字キーの上部は、実施の形態２の溶接法用スイッチ入力部６ｃに相当し、第２スイッチ入力部６２の十字キーの右部は、実施の形態２の溶接材質用スイッチ入力部６ｃに相当し、第２スイッチ入力部６２の十字キーの下部は、実施の形態２のワイヤ径用スイッチ入力部６ｂに相当する。第２スイッチ入力部６２の十字キーによって指示された溶接条件項目の内容は、実施の形態２と同様にして、ドットマトリクス表示部１６に表示される。ドットマトリクス表示部１６では、実施の形態２と同様に、１つの表示部によって、溶接法、溶接材質、溶接ワイヤの３種類の溶接条件項目の内容を表示する。
【００４８】
これによって、実施の形態１、２で説明したのと同様の動作で、第２スイッチ入力部６２で、溶接条件項目の内容を指示することができる。なお、十字キーの左部は将来の用途のためにフリーにしておくか、他の溶接条件項目の内容に使用する。
【００４９】
また、第１スイッチ入力部６１の右部を押すことによってヘルプ機能を選択した場合、第２スイッチ入力部６２によって、ヘルプ機能の内容を指示できる。例えば、第２スイッチ入力部６２の十字キーの上部や下部を押すことによって、ＭＡＧ溶接やＭＩＧ溶接など溶接法を選択できる。上部や下部を押すことによって溶接法の一つを選んだ場合、右部や左部を押すことによって、溶接のノウハウを選択できる。例えば、上部や下部を押すことによってパルス溶接を選択し、右部や左部を押すことによって、「欠陥を出さない」を選んだ場合、「パルス溶接で欠陥を出さないように溶接する方法」がドットマトリクス表示部１６に表示される。すなわち、第２スイッチ入力部６２の十字キーの上部や下部を押すことによって大項目を選択し、右部や左部を押すことによって、選択した大項目のうちの小項目を選択して所望のヘルプ画面を見ることができる。このように、第２スイッチ入力部６２の押す位置の組み合わせ（上下部と左右部の組み合わせ）に応じて、記憶された溶接のノウハウを階層別に選択できる。
【００５０】
また、第１スイッチ入力部６１の下部を押すことによって電流波形表示機能を選択した場合、ドットマトリクス表示部１６に、現在選択されている溶接法に関する標準の電流波形が示される。このとき、例えば、第２スイッチ入力部６２の十字キーの上部、右部、下部、左部を押すことによって、溶接電流の周波数、ピーク電流、ベース電流などをドットマトリクス表示部１６に表示し、変更のために選択できる。第１スイッチ入力部６１で、電圧波形表示機能を選択した場合も電流波形表示機能を選択した場合と同様の操作が行える。
【００５１】
本実施の形態の溶接電源装置８は、実施の形態１、２の構成と同様に溶接条件項目設定機能に加えて、上記したヘルプ機能や電流波形表示機能、電圧表示機能を行う。そのために、これらの溶接に関する複数の機能項目を記憶するための機能記憶部１５と、機能記憶部１５からいずれかの機能やその内容を選択するために機能選択部２２とを備えている。
【００５２】
以上のように構成された設定器１と溶接電源装置８についてその動作を説明する。まず、実施の形態１、２と同様に溶接条件項目の内容を設定したり変更したりする場合は、第１スイッチ入力部６１の十字キーの上部を押す。この信号が、設定器１のスイッチデータ変換部７を経て設定器データ送信部２から、溶接電源装置８の設定器データ受信部９へ送信される。設定器データ受信部９で受信した信号は、機能選択部２２に送られ、機能記憶部１５に記憶されている機能のうち、溶接条件項目設定機能が選ばれる。機能記憶部１５で選ばれた溶接条件項目設定機能というデータが溶接電源装置データ送信部１０から設定器１に送信される。溶接電源装置データ送信部１０から送信されたデータは設定器１の溶接電源装置データ受信部３で受信し、表示用データ変換部４を経てドットマトリクス表示部１６に「溶接条件項目設定」という表示を行う。ユーザはこの表示を確認して、第２スイッチ入力部６２の十字キーの上部を押し、溶接条件項目の内容のうち溶接法を選択する。第２スイッチ入力部６２の十字キーの上部を押す毎に溶接条件項目の内容である溶接法の内容を順次指示する。また、第２スイッチ入力部６２の十字キーの右部を押し溶接材質を選択し、右部を押す毎に溶接条件項目の内容である溶接材質の内容を順次選択する。また、第２スイッチ入力部６２の十字キーの下部を押しワイヤ径を選択し、下部を押す毎に溶接条件項目の内容であるワイヤ径の内容を順次選択する。すなわち、ユーザは第２スイッチ入力部６２の十字キーの上部、右部または左部を繰り返し押すことによって、上部、右部または左部に対応する溶接条件項目の内容を変更指示する。この変更指示に伴ってドットマトリクス表示部１６には指示された溶接条件項目の内容が表示される。
【００５３】
例えば、第２スイッチ入力部６２の十字キーの上部を押すことによって、溶接法を選択した場合、表示部１６には溶接条件項目記憶選択部１１の溶接法の領域に１番最初に記憶されている溶接条件項目である溶接法の内容、例えば「ＭＡＧ溶接」が表示される。次に、ユーザがＭＡＧ溶接を変更したい場合、第２スイッチ入力部６２の十字キーの同じく上部を押すことによって、溶接条件項目の内容を変更させる指示をする。第２スイッチ入力部６２の十字キーの上部を１回押すごとに、溶接条件項目記憶選択部１１のインデックスを順次増加させる。これによって、実施の形態１、２と同様に、溶接条件項目記憶選択部１１に記憶されている溶接条件項目の内容を順次選択指示していく。選択指示された溶接条件項目の内容のデータは、溶接電源装置データ送信部１０から設定器１に送信される。送信されたデータは、溶接電源装置データ受信部３で受信して、表示用データ変換部４を経由してドットマトリクス表示部１６で表示される。例えば、溶接条件項目記憶選択部１１の２番目にＭＩＧ溶接が記憶されていれば、第２スイッチ入力部６２の十字キーの上部を１回押すことによって、「ＭＩＧ溶接」がドットマトリクス表示部１６で表示され、これが選択されたことを確認できる。このようにして実施の形態１、２と同様の動作が行える。
【００５４】
次に、第２スイッチ入力部６２の十字キーの下部を押すことによって、ワイヤ径を選択した場合、表示部１６には溶接条件項目記憶選択部１１のワイヤ径の領域の１番最初に記憶されている溶接条件項目であるワイヤ径の内容、例えば「１．０ｍｍ」が表示される。次に、ユーザがワイヤ径を変更したい場合、第２スイッチ入力部６２の十字キーの下部を例えば２回押す。これによって、溶接条件項目記憶選択部１１のワイヤ径の領域に記憶されている溶接条件項目の内容のインデックスを２つ増加する指示をする。これによって、ワイヤ径の内容のインデックスを２つ増加し、例えば、１．４ｍｍを選択する。選択された１．４ｍｍのデータが溶接電源装置データ送信部１０から設定器１に送信される。このデータを設定器１の溶接電源装置データ受信部３で受信し、表示用データ変換部４を経て表示部１６に「１．４ｍｍ」と表示し、ユーザはワイヤ径が変更されたことを確認する。このとき、ドットマトリクス表示部１６には、先に指示された溶接法である「ＭＩＧ溶接」の表示も併せて行う。これにより、実施の形態２と同様に、指示されたすべての溶接条件項目を１つの表示部で確認することができる。
【００５５】
このようにして、ＭＩＧ溶接をワイヤ径１．４ｍｍで行う溶接条件項目が選択されると、溶接条件選択部１２が、ＭＩＧ溶接をワイヤ径１．４ｍｍで行うための予め定められた具体的な溶接条件データを溶接条件記憶部１３から検索して選択する。例えば、電流波形の立ち上がり時間などの溶接波形パラメータなど、溶接機本体で実現可能な予め設定された条件データを選択する。したがって、この選択された溶接条件データが溶接機本体に送られ、この溶接条件データに基づいて溶接が行われる。
【００５６】
しかし、溶接機本体がＭＩＧ溶接をワイヤ径１．４ｍｍで行えない場合は、そのような組み合わせが溶接条件記憶部１３には記憶されていない。したがって、この場合、溶接条件選択部１２から警報信号が溶接電源装置データ送信部１０から設定器１に送信される。この警報信号を設定器１の溶接電源装置データ受信部３が受信し、表示用データ変換部４を経て表示部１６に点滅信号などにより警報を発する。ユーザはこの警報を確認して、第２スイッチ入力部６２の十字キーの上部を押すことによって、溶接条件項目の内容である溶接法を変更する。また、第２スイッチ入力部６２の十字キーの下部を押すことによって、溶接条件項目の内容である溶接ワイヤ径を変更する。あるいは、第２スイッチ入力部６２の十字キーの右部を押すことによって、溶接条件項目のうち溶接材質を選択し変更する。これにより、溶接機本体が溶接可能な溶接条件の内容の組み合わせを選択して溶接を行う。
【００５７】
本実施の形態の場合でも、例えば、溶接機本体を別のものに変更し、溶接電源装置８側で溶接条件のプログラムソフトを変更することにより溶接条件項目の内容や溶接条件データなどを変更した場合、設定器１はなんら変更することなく、これまで用いていた設定器１で溶接条件項目が設定できる。例えば、溶接条件項目の溶接法の内容が、ＭＡＧ溶接やＭＩＧ溶接以外に、ＣＯ２溶接が可能となった場合、プログラムソフトなどを変更してＣＯ２溶接で溶接可能な具体的な溶接条件データを溶接条件記憶部１３に記憶させる。このような場合でも、これまでの設定器１を用いて、第２スイッチ入力部６２の十字キーの上部を押すことによって、溶接条件項目の内容を変更指示する。また、溶接電源装置８側で溶接材質または溶接ワイヤ径を変更した場合、第２スイッチ入力部６２の十字キーの右部または下部を押すことによって、溶接条件項目の内容を変更指示する。これにより、新しい設定器１を用いることなく、溶接機本体が溶接可能な溶接条件の内容の組み合わせを選択して溶接を行える。
【００５８】
ところで、本実施の形態では、上記したように、第１スイッチ入力部６１の十字キーの右部を押せば、ヘルプ機能を選択できる。十字キーの下部を押せば、電流波形表示機能を選択できる。十字キーの左部を押せば、電圧波形表示機能を選択できる。
【００５９】
ヘルプ機能について説明する。第１スイッチ入力部６１の十字キーの右部が押されたことを示すデータが、スイッチデータ変換部７を経て設定器データ送信部２から溶接電源装置８に送信される。このデータは溶接電源装置８の設定器データ受信部９で受信され、機能選択部２２に送られる。これによって、機能記憶部１５に記憶されている機能のうち、ヘルプ機能が選ばれる。機能記憶部１５で選ばれたヘルプ機能のデータが溶接電源装置データ送信部１０から設定器１に送信される。溶接電源装置データ送信部１０から送信されたデータは設定器１の溶接電源装置データ受信部３で受信し、表示用データ変換部４を経て表示部１６に「ヘルプ機能」という表示を行う。ユーザはこの表示を確認して、第２スイッチ入力部６２の十字キーの上部または下部を押し、ヘルプ機能の大項目を選択する。例えば、大項目として、ＭＩＧ溶接、ＭＡＧ溶接、ＣＯ２溶接など溶接法を選択できる。第２スイッチ入力部６２の十字キーの上部または下部を押すことによって選択された大項目のデータは、溶接電源装置データ送信部１０から溶接電源装置データ受信部３を経由して、表示部１６に表示される。ユーザはこの表示を確認して、第２スイッチ入力部６２の十字キーの左部または右部を押し、選択された大項目の中の小項目の内容を順次変更指示する。順次変更指示することにより、機能記憶部１５に記憶されているヘルプ機能の小項目が順次選択される。順次選択されたデータが溶接電源装置データ送信部１０から溶接電源装置データ受信部３を経由して、表示部１６に表示され、ユーザは具体的な対応策の内容を表示部１６で確認することができる。
【００６０】
例えば、右部や左部を押すことによって、「欠陥を出さない」、「各種継手の溶接」など溶接のノウハウを選択できる。したがって、第２スイッチ入力部６２の十字キーの上部または下部を押すことによって大項目として「ＭＡＧ溶接」を選択し、第２スイッチ入力部６２の十字キーの左部または右部を押すことによって「欠陥を出さない」を選択した場合、設定器１の表示部１６には、「ＭＡＧ溶接で欠陥を出さないように溶接する方法」がドットマトリクス表示部１６に表示される。
【００６１】
次に電流波形表示機能について説明する。第１スイッチ入力部６１の下部を押すことによって、電流波形表示機能を選択した場合、そのデータが設定器データ送信部２から送信データ受信部９を経て機能選択部２２に送られる。これによって、機能記憶部１５に記憶されている、現在選択されている溶接法に関する標準の電流波形がドットマトリクス表示部１６に表示される。図９は本実施の形態におけるドットマトリクス表示部１６の表示例を示す図である。図９において、ドットマトリクス表示部１６の波形表示領域１６ａには、例えばパルス溶接に用いられるパルス状の標準電流波形ＩＷが表示されている。標準電流波形ＩＷには、パルス周波数ＰＦＲＱ、立ち上がり時間ＰＲＩＳＥ、ピーク期間ＰＰＥＡＫ、ピーク電流ＩＰ、ベース電流ＩＢなどの電流波形要素の示す位置も示されている。ドットマトリクス表示部１６の要素表示領域１６ｂには、電流波形要素のうちのパルス周波数ＰＦＲＱ、ピーク電流ＩＰ、ベース電流ＩＢの具体的な数値が各表示窓ＰＦＲＱ、ＩＰ、ＩＤに表示されている。ここで、第２スイッチ入力部６２の十字キーの上部または下部を押すことにより、ドットマトリクス表示部１６の要素表示領域１６ｂの電流波形要素の表示窓を上または下にスクロールさせて、他の電流波形要素、例えば立ち上がり時間ＰＲＩＳＥやピーク期間ＰＰＥＡＫの表示窓をハイライトさせる。なお、その際、別途設定器１に設けた数値入力キーにより電流波形要素の変更を可能にしている。すなわち、第２スイッチ入力部６２の上部または下部を押すことにより、ドットマトリクス表示部１６の要素表示領域１６ｂに表示させたい電流波形要素の表示窓を上または下にスクロールさせて、変更したい電流表示要素の表示窓を選択する。その後、数値入力キーで電流波形要素を変更する。この変更に伴って、波形表示領域１６ａに表示されている電流波形も変更後の電流波形要素に応じた電流波形ＩＷに変更できる。これにより、ユーザは、所望の電流波形ＩＷを容易に得ることができる。
【００６２】
次に、第１スイッチ入力部６１の左部を押すことによって、電圧波形表示機能を選択することができる。しかし、電圧波形表示機能を選択した場合の動作は、電流波形表示機能を選択した場合と同様であるので、説明は省略する。
【００６３】
以上のように、本実施の形態では、第１スイッチ入力部６１の十字キーを操作することにより、溶接条件項目選択機能やヘルプ機能や電流波形表示機能などの機能を選択できる。選択された機能は機能選択部２２に送られ、機能記憶部１５から選択された機能に対応する表示がドットマトリクス表示部１６で行われる。溶接条件項目選択機能が選ばれた場合には、溶接条件項目記憶選択部１１で溶接条件項目の内容が選択され、溶接条件選択部１２により溶接条件記憶部１３から具体的な溶接条件データが検索できる。これによって、設定器１を変更することなく溶接条件項目の内容を変更し設定できる。
【００６４】
（実施の形態４）
本実施の形態は、実施の形態１に加えて、設定器１は、溶接条件項目の内容として設定する電流や電圧の値を変更する変更量を入力するものである。本実施の形態について図１０を用いて説明する。なお、本実施の形態において実施の形態１〜３と同様の構成については同一の符号を付して詳細な説明を省略する。
【００６５】
図１０は本実施の形態における溶接装置を構成する設定器１と溶接電源装置８の概略構成を示す図である。実施の形態１〜３と同様、溶接出力部分などアーク溶接に関する部分は図示と説明を省略する。
【００６６】
本実施の形態においては、まず、実施の形態１と同様の構成を備えている。すなわち、設定器１は、設定器データ送信部２と溶接電源装置データ受信部３と表示用データ変換部４と表示部５とスイッチ入力部６とスイッチデータ変換部７とを備えている。また、溶接電源装置８は、設定器データ受信部９と溶接電源装置データ送信部１０と溶接条件項目記憶選択部１１と溶接条件選択部１２と溶接条件記憶部１３とを備えている。
【００６７】
さらに、本実施の形態では、図１０において、設定器１は、溶接条件項目の内容として設定する電流や電圧を表示する電流電圧表示部１７を有している。また、電流電圧表示部１７に表示している電流や電圧の値を変更する変更量を入力する電流電圧変更部１８を有している。さらに、入力された変更量を溶接電源装置８に送信できるように変更量データに変換する電流電圧変更量変換部１９を有している。なお、電流電圧表示部１７は、電流表示用と電圧表示用の２つの表示部としてもよいし、電流と電圧の両方を１つの画面で表示できる液晶画面などとしてもよい。また電流電圧変更部１８は電流変更用と電圧変更用の２つを設けても良いし、１つで兼用してもよい。電流電圧変更部１８の例としては、変更量が離散的に変更されるロータリーエンコーダーなどを用いたジョグダイアルや、変更量が連続的に変更される可変抵抗器などが挙げられる。また、電流電圧表示部１７に表示される電圧や電流は、溶接電源装置８が動作する際の目標値となる設定電流や設定電圧と言われるものであり、本実施の形態はこの設定電流や設定電圧の設定を変更するものである。
【００６８】
溶接電源装置８は、溶接電源装置８に固有の基準値となる電流や電圧、および後述する電流電圧決定部２１が算出した電流や電圧が記憶される電流電圧記憶部２０を有している。また、送信された変更量データと電流電圧記憶部２０が記憶する基準電流や基準電圧とから新たな電流や電圧を演算決定する電流電圧決定部２１を有している。
【００６９】
すなわち、本実施の形態が実施の形態１と異なる主な点は、設定器１が電流電圧表示部１７と電流電圧変更部１８と電流電圧変更量変換部１９とを備え、溶接電源装置８が電流電圧記憶部２０と電流電圧決定部２１を備えた点である。
【００７０】
以上のように構成された溶接電源装置８と設定器１についてその動作を説明する。起動時の動作および溶接条件項目の内容の選択や表示については実施の形態１と同様である。しかし、本実施の形態の設定器１は、後述するように電流電圧変更部１８によって電流電圧表示部１７に表示されている電流や電圧の値に対する変更量を決定し、その変更量を電流電圧変化量変換部１９で変更量データに変換し、設定器データ送信部２を介して溶接電源装置８に送信する。
【００７１】
溶接電源装置８の電流電圧決定部２１は、設定器１から送られ設定器データ受信部９で受信した変更量データと電流電圧記憶部２０に記憶された基準電流、基準電圧とから新たな電流、電圧を算出する。
【００７２】
設定器１の電流電圧変更部１８として、変更量が離散的に変更されるジョグダイアルを用い、電流値を変更する場合を例にして説明する。本実施の形態では、ジョグダイアルを右方向に１ピッチ回す毎に電流が１Ａ増加し、ジョグダイアルを左方向に１ピッチ回す毎に電流が１Ａ減少するように予め設定されている。また、溶接電源装置８の電流電圧記憶部２０が記憶している基準電流が１００Ａであるとする。
【００７３】
起動状態では、溶接電源装置８の溶接電源装置データ送信部１０から設定器１に電流の情報として電流電圧記憶部２０が記憶している基準電流１００Ａのデータを送る。設定器１では、溶接電源装置データ受信部３で基準電流１００Ａのデータを受信し、電流電圧表示部１７には「１００Ａ」と表示する。そして、設定器１の電流電圧変更部１８としてのジョグダイアルを右方向に１ピッチ回したとする。すると、電流の変更量データとしてジョグダイアルが右方向に１ピッチ回されたことを表す信号が設定器１の設定器データ送信部２から溶接電源装置８に送信される。この信号を設定器データ受信部９を介して受信した溶接電源装置８の電流電圧決定部２１は、基準電流である１００Ａとジョグダイアルを右方向に１ピッチ回したことに対応する１Ａとから演算により１０１Ａを得る。そして、溶接電源装置８は、算出結果である１０１Ａを電流電圧記憶部２０に記憶すると共に、表示用データとして溶接電源装置データ送信部１０から設定器１に送信する。その結果、設定器１の電流電圧表示部１７には「１０１Ａ」と表示される。なお、さらに設定器１の電流電圧変更部１８としてのジョグダイアルを右方向に１ピッチ回した場合、溶接電源装置８は、電流電圧記憶部２０に記憶された電流である１０１Ａとジョグダイアルを右方向に１ピッチ回したことに対応する１Ａとを演算して１０２Ａとして電流電圧記憶部２０に記憶し、設定器１の電流電圧表示部１７には「１０２Ａ」が表示される。このように、算出の基準となる値は随時変更できるものである。なお、溶接電源装置８を停止し、再度起動した場合には、電流電圧記憶部２０に記憶されている最後の値（１０２Ａ）が算出の基準となる。
【００７４】
また、ジョグダイアルを右方向に１ピッチ回したことに対応する電流値や電圧値は、変更を容易にするため、溶接電源装置８の定格出力容量によって変わるものである。電流値を例として説明する。ただし、溶接電源装置８の定格出力容量が５００Ａであった場合、ジョグダイアルを右方向に１ピッチ回したことに対応する電流値の変更量の基準電流は１Ａであるとする。この場合、定格出力容量が５００Ａに対する係数は１であるとする。したがって、この場合、ジョグダイアルを右方向に１ピッチ回したことに対応する電流値は１Ａ×１で１Ａである。一方、被溶接物の溶接材質やワイヤ径の変更により、溶接電源装置８の定格出力容量が３５０Ａに変更された場合、定格出力容量３５０Ａに対する係数を０．７とする。これにより、ジョグダイアルを右方向に１ピッチ回したことに対応する電流値を１Ａ×０．７で０．７Ａとできる。なお、この係数は、定格出力容量が変更される際に、溶接電源装置８の図示しない記憶部に、手動あるいは自動演算により設定できるものである。自動演算の場合は、例えば、５００Ａに対する変更後の定格出力容量の割合で演算させることができる。従って、溶接電源装置８の定格出力容量が異なる場合でも、ジョグダイアルを右方向に１ピッチ回したことに対応する電流値は係数などを変更することにより溶接電源装置８側で定義される。したがって、溶接電源装置８の定格出力容量が変更された場合でも設定器１を改造変更や取替えなどをする必要はなく、この設定器１を用いて変更された定格出力容量に対応して溶接電源装置８の電流値の条件設定ができる。
【００７５】
なお、溶接電源装置８の溶接出力の制御は、電流電圧決定部２１により算出され電流電圧記憶部２０に記憶された電流値や電圧値を設定電流や設定電圧として行われる。
【００７６】
以上のように、本実施の形態の溶接装置においては、実施の形態１に加えて、電流や電圧の設定に関して、設定器１は、電流電圧変更部１８で設定電流や設定電圧の変更量の指示だけを行う機能を有しているだけである。これにより、溶接電源装置８の定格溶接出力容量に合わせて電流電圧決定部２１が算出に用いる係数を変更するだけで、設定器１による設定電流や設定電圧の設定が可能となる。したがって、設定器１の改造変更や取り替えを行うことなく溶接電源装置８の溶接出力容量に応じた電流や電圧を設定することができる。
【００７７】
また、本実施の形態の溶接装置では、設定器１は溶接電流値は絶対的な設定値を送るのではなく溶接電流値の変更量データを溶接電源装置８に送る。溶接電源装置８は、電流電圧記憶部２０が記憶している基準電流値（例えば、１００Ａ）と設定器１から送られてきた変更量データ（例えば、プラス１０Ａ）に基づいて溶接電流値を演算し（例えば、１１０Ａ）、この溶接電流値で溶接を行う。それとともに、溶接電源装置８は溶接電流値（例えば、１１０Ａ）を設定器１に送り、設定器１は、溶接電源装置８から送られてきた溶接電流値（例えば、１１０Ａ）を表示する。このように、本実施の形態の溶接装置では、溶接電源装置８で実際に溶接を行う溶接電流値を設定器１に表示して作業者に視認可能とすることができる。
【００７８】
したがって、従来のように、設定器で溶接電流値を入力して変更した場合の誤動作を防止できる。すなわち、例えば、溶接電流値を１００Ａから１１０Ａに変更した場合、その情報が正しく溶接電源装置８に送られず、作業者は１１０Ａで溶接していると認識しているにもかかわらず、実際には例えば１００Ａで溶接が行われているという誤動作を防げる。
【００７９】
なお、本実施の形態の溶接装置として、実施の形態３の溶接装置の構成に、電流電圧表示部１７、設定電流電圧変更部１８、設定電流電圧変更量変換部１９、設定電流電圧記憶部２０、設定電流電圧決定部２１を組み合わせて実現することもできる。これにより、溶接電源装置８に新規追加された機能を使用することもできる。
【００８０】
なお、電流電圧変更部１８は、例えば波形制御のためのパラメータ変更など、設定電流、設定電圧以外の変更量の決定にも用いることができる。
【００８１】
なお、これまでの実施の形態では、表示部５として１文字当たり１６セグメントのＬＥＤ表示装置５１や液晶表示装置１４などの素子を例示した。しかし、これらは一例であり、これらに限らずたとえば有機ＥＬ表示素子など表示の目的に合う表示素子を任意に選択することができる。
【産業上の利用可能性】
【００８２】
本発明は、溶接電源装置の溶接条件項目の内容が変更された場合でも、設定器の改造変更をする必要がないので、生産現場での溶接装置への変更をスムーズに行うことができる。したがって、設定器により溶接電源装置の設定を行う溶接装置として有用である。
【符号の説明】
【００８３】
１    設定器
２    設定器データ送信部
３    溶接電源装置データ受信部
４    表示用データ変換部
５    表示部
５ａ    溶接材質用表示部
５ｂ    ワイヤ径用表示部
５ｃ    溶接法用表示部
６    スイッチ入力部
６ａ    溶接材質用スイッチ入力部
６ｂ    ワイヤ径用スイッチ入力部
６ｃ    溶接法用スイッチ入力部
７    スイッチデータ変換部
８    溶接電源装置
９    設定器データ受信部
１０    溶接電源装置データ送信部
１１    溶接条件項目記憶選択部
１２    溶接条件選択部
１３    溶接条件記憶部
１４    液晶表示器
１４ａ    溶接材質用液晶表示部
１４ｂ    ワイヤ径用液晶表示部
１４ｃ    溶接法用液晶表示部
１５    機能記憶部
１６    ドットマトリクス表示部
１６ａ    波形表示領域
１６ｂ    要素表示領域
１７    電流電圧表示部
１８    電流電圧変更部
１９    電流電圧変換量変換部
２０    電流電圧記憶部
２１    電流電圧決定部
２２    機能選択部
５１    １６セグメント
【手続補正２】
【補正対象書類名】特許請求の範囲
【補正対象項目名】全文
【補正方法】変更
【補正の内容】
【特許請求の範囲】
【請求項１】
溶接電源装置と、溶接条件項目の内容に対応する溶接条件データを前記溶接電源装置に設定するための設定器とを備え、
前記設定器は、
前記溶接条件項目の内容を変更させる変更指示情報を入力する変更指示入力部と、
前記変更指示入力部で入力した変更指示情報を前記溶接電源装置に送信する設定器データ送信部と、
前記溶接電源装置から送信された前記溶接条件項目の内容を受信する溶接電源装置データ受信部と、
前記溶接電源装置データ受信部で受信した前記溶接条件項目の内容を表示する表示部とを備え、
前記溶接電源装置は、
前記設定器から送信された前記変更指示情報を受信する設定器データ受信部と、
複数の前記溶接条件項目の内容を記憶し、前記設定器データ受信部で受信した前記変更指示情報に基づいて前記溶接条件項目の内容を選択する溶接条件項目記憶選択部と、
前記溶接条件項目の内容に対応する前記溶接条件データを記憶し、前記溶接条件項目記憶選択部で選択した前記溶接条件項目の内容に基づいて前記溶接条件データが選択される溶接条件記憶部と、
前記溶接条件項目記憶選択部で選択した前記溶接条件項目の内容を前記設定器に送信する溶接電源装置データ送信部とを備え、
前記設定器の前記表示部は、前記溶接条件項目記憶選択部が選択した前記溶接条件項目の内容を表示する溶接装置。
【請求項２】
前記変更指示入力部は、複数の前記溶接条件項目毎に前記溶接条件項目の内容を変更させる変更指示情報を入力可能であり、
前記表示部は、前記溶接条件項目毎に前記溶接条件項目の内容を表示可能であり、
前記溶接条件項目記憶選択部は、前記溶接条件項目毎に前記溶接条件項目の内容を記憶し、前記溶接条件項目毎の前記変更指示情報に基づいて前記溶接条件項目毎に前記溶接条件項目の内容を選択可能である請求項１に記載の溶接装置。
【請求項３】
前記溶接条件記憶部は、前記溶接条件項目毎の前記溶接条件項目の内容の組み合わせのうち、装置本体が実施可能な前記溶接条件項目の内容の組み合わせに対応する前記溶接条件データを記憶し、
前記溶接条件項目記憶選択部で選択した前記溶接条件項目毎の前記溶接条件項目の内容の組み合わせが前記溶接条件記憶部に存在するか否かを判断し、前記溶接条件項目記憶選択部で選択した前記溶接条件項目毎の前記溶接条件項目の内容の組み合わせが前記溶接条件記憶部に存在しない場合は、前記溶接電源装置データ送信部に前記溶接条件項目の内容の組み合わせが不適切であることを報知する警報情報を送信する溶接条件項目選択部を備え、
前記設定器の前記表示部は、前記警報情報に基づいて前記溶接条件項目の内容の組み合わせが不適切であることを表示する請求項２記載の溶接装置。
【請求項４】
前記溶接電源装置は、
溶接に関する機能項目を複数記憶する機能記憶部と、
前記機能記憶部から１つの前記機能項目を選択する機能選択部とを備え、
前記設定器の表示部は、前記溶接電源装置から送られてきた、前記機能選択部で選択した前記機能項目を前記表示部に表示する請求項１記載の溶接装置。
【請求項５】
前記設定器は、
電流値および電圧値のうち少なくとも一方の値を増減する変更量を決定する電圧電流変更部を備え、
前記溶接電源装置は、
電流値および電圧値のうち少なくとも一方の基準値を記憶する電圧電流記憶部と、
前記設定器から送られてきた前記変更量と前記電圧電流記憶部に記憶されている基準値とから新たな電流値および電圧値のうち少なくとも一方を演算決定する電圧電流決定部とを備え、
前記設定器の前記表示部は、前記溶接電源装置から送られてきた前記電圧電流決定部が演算決定した電流値および電圧値のうち少なくとも一方を表示する請求項１に記載の溶接装置。
【請求項６】
前記溶接条件項目は、溶接法と溶接材質と溶接ワイヤ径のうちの少なくとも１つである請求項１に記載の溶接装置。
【請求項７】
溶接条件項目の内容を変更させる変更指示情報を入力する変更指示入力部と、
前記変更指示入力部で入力した前記変更指示情報を溶接電源装置に送信する設定器データ送信部と、
前記溶接電源装置から送信された前記溶接条件項目の内容を受信する溶接電源装置データ受信部と、
前記溶接電源装置データ受信部で受信した前記溶接条件項目の内容を表示する表示部とを備えた設定器であって、
前記設定器データ送信部から送信された前記変更指示情報を受信する設定器データ受信部と、
複数の前記溶接条件項目の内容を記憶し、前記設定器データ受信部で受信した前記変更指示情報に基づいて前記溶接条件項目の内容を選択する溶接条件項目記憶選択部と、
前記溶接条件項目記憶選択部で選択した前記溶接条件項目の内容を前記溶接電源装置データ受信部に送信する溶接電源装置データ送信部とを備えた前記溶接電源装置に、
前記設定器データ送信部は、前記変更指示情報を送信し、
前記溶接電源装置データ受信部は、前記溶接電源装置から前記溶接条件項目記憶選択部で選択した前記溶接条件項目の内容を前記溶接電源装置から受信し、
前記表示部は、前記溶接条件項目記憶選択部で選択した前記溶接条件項目の内容を表示する溶接装置の設定器。
【手続補正３】
【補正対象書類名】図面
【補正対象項目名】全図
【補正方法】変更
【補正の内容】
【図１】
2009122657.tif 000016
【図２Ａ】
2009122657.tif 000017
【図２Ｂ】
2009122657.tif 000018
【図２Ｃ】
2009122657.tif 000019
【図３】
2009122657.tif 000020
【図４】
2009122657.tif 000021
【図５】
2009122657.tif 000022
【図６】
2009122657.tif 000023
【図７】
2009122657.tif 000024
【図８】
2009122657.tif 000025
【図９】
2009122657.tif 000026
【図１０】
2009122657.tif 000027
【図１１】
2009122657.tif 000028
【国際調査報告】
2009122657.tif 000029
2009122657.tif 000030